(57)【要約】ＦＤＭシステムにおけるセル間干渉緩和のためのシステムおよび方法が提供される。このシステムは、サービス提供セルと近隣の非サービス提供セルとの両方のために、サブ帯域毎に生成された負荷判定基準データを用いて高い効率を提供する。このシステムは、セルから隣接セルへ直接的のみならず、バックホール・チャネルを介して、サブ帯域毎に負荷判定基準データを共有することをロバストに提供する。さらに、ＵＥベースの通信システムによって、ＵＥは、近隣セルの負荷判定基準を直接的に読み取ることに基づいて、割り当てられた負荷制御を低減することが可能となる。したがって、このシステムは、セル間干渉を管理する際に、高い効率を提供しながら、様々なセル・タイプ（例えば、同期または非同期）および様々なＵＥ機能をロバストに取り扱う。
2010509866.tif 000002
【特許請求の範囲】
【請求項１】
セル間干渉の緩和を容易にする方法であって、
セル帯域幅を、複数のサブ帯域に分割することと、
サブ帯域毎に観察された負荷に対応する負荷判定基準を隣接セルに提供することと
を備える方法。
【請求項２】
おのおののサブ帯域のために、サブ帯域毎に観察された負荷に対応する負荷判定基準をブロードキャストするセルを備える請求項１に記載の方法。
【請求項３】
おのおののサブ帯域のために、サブ帯域毎の隣接した負荷に対応する負荷判定基準をブロードキャストするセルを備える請求項１に記載の方法。
【請求項４】
前記隣接セルから、サブ帯域毎の負荷判定基準を受信することと、
サービス提供されたＵＥのためのサブ帯域割当が隣接セルに負荷されているかを判定することと、
割り当てられたサブ帯域が負荷されているのであれば、割り当てられた送信電力スペクトル密度を低減することと、
前記割り当てられたサブ帯域が負荷されていないのであれば、前記割り当てられた送信電力スペクトル密度を維持することと
を備える請求項１に記載の方法。
【請求項５】
ＵＥベースの通信システムのための方法であって、
サブ帯域毎の隣接セル負荷判定基準を受信することと、
サブ帯域毎の隣接セル負荷判定基準が、サービス提供セルまたは隣接セルから受信されたかを判定することと、
割り当てられたサブ帯域が前記隣接セル内に負荷されているかを判定することと、
前記割り当てられたサブ帯域が隣接セル内に負荷され、前記隣接セル負荷判定基準が、前記隣接セルから受信されたと判定されると、割り当てられた送信電力スペクトル密度を低減することと、
前記割り当てられたサブ帯域が隣接セル内に負荷されず、前記隣接セル負荷判定基準が前記隣接セルから受信されたと判定されると、割り当てられた送信電力スペクトル密度を維持することと
を備える方法。
【請求項６】
前記隣接セル負荷判定基準が前記サービス提供セルから受信されたと判定されると、前記割り当てられた送信電力スペクトル密度を維持することを備える請求項５に記載の方法。
【請求項７】
セル帯域幅を、複数のサブ帯域に分割することと、
サブ帯域毎に観察された負荷に対応する負荷判定基準を隣接セルに提供することと
を備える動作を実行するためのコンピュータ読取可能な命令群を格納したコンピュータ読取可能記憶媒体。
【請求項８】
おのおののサブ帯域のために、サブ帯域毎に観察された負荷に対応する負荷判定基準をセルがブロードキャストするためのコンピュータ読取可能な命令群を格納した請求項７に記載のコンピュータ読取可能記憶媒体。
【請求項９】
おのおののサブ帯域のために、サブ帯域毎に隣接した負荷に対応する負荷判定基準をセルがブロードキャストするためのコンピュータ読取可能な命令群を格納した請求項７に記載のコンピュータ読取可能記憶媒体。
【請求項１０】
前記隣接セルから、サブ帯域毎の負荷判定基準を受信することと、
サービス提供されたＵＥのためのサブ帯域割当が隣接セルに負荷されているかを判定することと、
割り当てられたサブ帯域が負荷されているのであれば、割り当てられた送信電力スペクトル密度を低減することと、
前記割り当てられたサブ帯域が負荷されていないのであれば、前記割り当てられた送信電力スペクトル密度を維持することと
を備える動作を実行するためのコンピュータ読取可能な命令群を格納した請求項７に記載のコンピュータ読取可能記憶媒体。
【請求項１１】
サブ帯域毎の隣接セル負荷判定基準を受信することと、
サブ帯域毎の隣接セル負荷判定基準が、サービス提供セルまたは隣接セルから受信されたかを判定することと、
割り当てられたサブ帯域が前記隣接セル内に負荷されているかを判定することと、
前記割り当てられたサブ帯域が隣接セル内に負荷され、前記隣接セル負荷判定基準が、前記隣接セルから受信されたと判定されると、割り当てられた送信電力スペクトル密度を低減することと、
前記割り当てられたサブ帯域が隣接セル内に負荷されず、前記隣接セル負荷判定基準が前記隣接セルから受信されたと判定されると、割り当てられた送信電力スペクトル密度を維持することと
を備える動作を実行するためのコンピュータ読取可能な命令群を格納したコンピュータ読取可能記憶媒体。
【請求項１２】
前記隣接セル負荷判定基準が前記サービス提供セルから受信されたと判定されると、前記割り当てられた送信電力スペクトル密度を維持するためのコンピュータ読取可能な命令群を格納した請求項１１に記載のコンピュータ読取可能記憶媒体。
【請求項１３】
セル帯域幅を、複数のサブ帯域に分割することと、
サブ帯域毎に観察された負荷に対応する負荷判定基準を隣接セルに提供することと
を備える動作を実行するためのコードを実行するプロセッサ。
【請求項１４】
おのおののサブ帯域のために、サブ帯域毎に観察された負荷に対応する負荷判定基準をセルがブロードキャストするためのコードを実行する請求項１３に記載のプロセッサ。
【請求項１５】
おのおののサブ帯域のために、サブ帯域毎の隣接した負荷に対応する負荷判定基準をセルがブロードキャストするためのコードを実行する請求項１３に記載のプロセッサ。
【請求項１６】
前記隣接セルから、サブ帯域毎の負荷判定基準を受信することと、
サービス提供されたＵＥのためのサブ帯域割当が隣接セルに負荷されているかを判定することと、
割り当てられたサブ帯域が負荷されているのであれば、割り当てられた送信電力スペクトル密度を低減することと、
前記割り当てられたサブ帯域が負荷されていないのであれば、前記割り当てられた送信電力スペクトル密度を維持することと
からなる動作を実行するためのコードを実行する請求項１３に記載のプロセッサ。
【請求項１７】
サブ帯域毎の隣接セル負荷判定基準を受信することと、
サブ帯域毎の隣接セル負荷判定基準が、サービス提供セルまたは隣接セルから受信されたかを判定することと、
前記割り当てられたサブ帯域が前記隣接セル内に負荷されているかを判定することと、
前記割り当てられたサブ帯域が隣接セル内に負荷され、前記隣接セル負荷判定基準が、前記隣接セルから受信されたと判定されると、割り当てられた送信電力スペクトル密度を低減することと、
前記割り当てられたサブ帯域が隣接セル内に負荷されず、前記隣接セル負荷判定基準が前記隣接セルから受信されたと判定されると、割り当てられた送信電力スペクトル密度を維持することと
からなる動作を実行するためのコードを実行するプロセッサ。
【請求項１８】
前記隣接セル負荷判定基準が前記サービス提供セルから受信されたと判定されると、前記割り当てられた送信電力スペクトル密度を維持するためのコードを実行する請求項１７に記載のプロセッサ。
【請求項１９】
セル帯域幅を、複数のサブ帯域に分割することと、サブ帯域毎に観察された負荷に対応する負荷判定基準を隣接セルに提供することとからなる動作を実行するためのコンピュータ実行可能な命令群を格納した記憶媒体と、
前記コンピュータ実行可能な命令群を実行するプロセッサと
を備える装置。
【請求項２０】
前記記憶媒体は、おのおののサブ帯域のために、サブ帯域毎に観察された負荷に対応する負荷判定基準をセルがブロードキャストするためのコンピュータ読取可能な命令群を格納した請求項１９に記載の装置。
【請求項２１】
前記記憶媒体は、おのおののサブ帯域のために、サブ帯域毎の隣接した負荷に対応する負荷判定基準をセルがブロードキャストするためのコンピュータ読取可能な命令群を格納した請求項１９に記載の装置。
【請求項２２】
前記記憶媒体は、
前記隣接セルから、サブ帯域毎の負荷判定基準を受信することと、
サービス提供されたＵＥのためのサブ帯域割当が隣接セルに負荷されているかを判定することと、
割り当てられたサブ帯域が負荷されているのであれば、割り当てられた送信電力スペクトル密度を低減することと、
前記割り当てられたサブ帯域が負荷されていないのであれば、前記割り当てられた送信電力スペクトル密度を維持することと
を備える動作を実行するためのコンピュータ読取可能な命令群を格納した請求項１９に記載の装置。
【請求項２３】
サブ帯域毎の隣接セル負荷判定基準を受信することと、
サブ帯域毎の隣接セル負荷判定基準が、サービス提供セルまたは隣接セルから受信されたかを判定することと、
割り当てられたサブ帯域が前記隣接セル内に負荷されているかを判定することと、
前記割り当てられたサブ帯域が隣接セル内に負荷され、前記隣接セル負荷判定基準が、前記隣接セルから受信されたと判定されると、割り当てられた送信電力スペクトル密度を低減することと、
前記割り当てられたサブ帯域が隣接セル内に負荷されず、前記隣接セル負荷判定基準が前記隣接セルから受信されたと判定されると、割り当てられた送信電力スペクトル密度を維持することと
からなる動作を実行するためのコンピュータ実行可能な命令群を備える記憶媒体と、
前記コンピュータ実行可能な命令群を実行するプロセッサと
を備える装置。
【請求項２４】
前記記憶媒体は、前記隣接セル負荷判定基準が前記サービス提供セルから受信されたと判定されると、前記割り当てられた送信電力スペクトル密度を維持するためのコンピュータ読取可能な命令群を格納している請求項２３に記載の装置。
【請求項２５】
セル間干渉の緩和を容易にするシステムであって、
セル帯域幅を、複数のサブ帯域に分割する手段と、
サブ帯域毎に観察された負荷に対応する負荷判定基準を隣接セルに提供する手段と
を備えるシステム。
【請求項２６】
おのおののサブ帯域のために、サブ帯域毎の観察された負荷に対応する負荷判定基準をセルがブロードキャストするための手段を備える請求項２５に記載のシステム。
【請求項２７】
おのおののサブ帯域のために、サブ帯域毎の隣接した負荷に対応する負荷判定基準をセルがブロードキャストするための手段を備える請求項２５に記載のシステム。
【請求項２８】
前記隣接セルから、サブ帯域毎の負荷判定基準を受信する手段と、
サービス提供されたＵＥのためのサブ帯域割当が隣接セルに負荷されているかを判定する手段と、
割り当てられたサブ帯域が負荷されているのであれば、割り当てられた送信電力スペクトル密度を低減する手段と、
前記割り当てられたサブ帯域が負荷されていないのであれば、前記割り当てられた送信電力スペクトル密度を維持する手段と
を備える請求項２５に記載のシステム。
【請求項２９】
ＵＥベースの通信制御のためのシステムであって、
サブ帯域毎の隣接セル負荷判定基準を受信する手段と、
サブ帯域毎の隣接セル負荷判定基準が、サービス提供セルまたは隣接セルから受信されたかを判定する手段と、
前記割り当てられたサブ帯域が前記隣接セル内に負荷されているかを判定する手段と、
前記割り当てられたサブ帯域が隣接セル内に負荷され、前記隣接セル負荷判定基準が、前記隣接セルから受信されたと判定されると、割り当てられた送信電力スペクトル密度を低減する手段と、
前記割り当てられたサブ帯域が隣接セル内に負荷されず、前記隣接セル負荷判定基準が前記隣接セルから受信されたと判定されると、割り当てられた送信電力スペクトル密度を維持する手段と
を備えるシステム。
【請求項３０】
前記隣接セル負荷判定基準が前記サービス提供セルから受信されたと判定されると、前記割り当てられた送信電力スペクトル密度を維持する手段をさらに備える請求項２９に記載のシステム。
【発明の詳細な説明】
【関連出願に対する相互参照】
【０００１】
本願は、２００６年１１月６日に出願され、"UPLINK INTER-CELL INTERFERENCE MANAGEMENT"と題された米国仮特許出願６０／８６４，５７６号の利益を主張する。前記出願の全体は、参照によって本明細書に組み込まれる。
【技術分野】
【０００２】
以下の記載は、一般に、無線通信に関し、特に、無線通信システムにおけるセル間干渉管理に関する。
【背景技術】
【０００３】
（例えば、周波数分割技術、時分割技術、および符号分割技術のような）典型的な無線通信ネットワークは、有効範囲領域を提供する１または複数の基地局と、有効範囲領域内でデータを送信および受信することができる１または複数のモバイル（例えば無線）端末とを含む。典型的な基地局は、サービスをブロードキャスト、マルチキャスト、および／またはユニキャストするために、複数のデータ・ストリームを同時に送信することができる。ここで、データ・ストリームは、モバイル端末に興味のある独立した受信からなるデータのストリームである。基地局の有効範囲領域内のモバイル端末は、合成ストリームによって搬送されるデータ・ストリームのうちの１つ、複数、あるいは全てを受信することに興味を持つ。同様に、モバイル端末は、基地局、他の局、あるいは他のモバイル端末へデータを送信することができる。おのおのの端末は、順方向リンクおよび逆方向リンクでの送信を介して１または複数の局と通信する。順方向リンク（すなわちダウンリンク）は、基地局から端末への通信リンクを称し、逆方向リンク（すなわちアップリンク）は、端末から基地局への通信リンクを称する。この通信リンクは、単数入力単数出力システム、複数入力単数出力システム、あるいは複数入力複数出力（ＭＩＭＯ）システムによって確立されうる。
【０００４】
モバイル通信ネットワーク（例えば、セル電話ネットワーク）内で情報を送信するために利用される従来技術は、周波数、時間、および符号分割ベースの技術を含んでいる。一般に、周波数分割ベースの技術では、呼出は、それぞれの呼出が個別の周波数でなされる周波数接続方式に基づいて分割される。時分割ベースの技術では、それぞれの呼出は、指定された周波数におけるある時間部分に割り当てられる。符号分割ベースの技術では、それぞれの呼出は、ユニークな符号に関連付けられ、利用可能な周波数にわたって拡散される。それぞれの技術は、１または複数のユーザによる多元接続を提供することができる。
【０００５】
時分割ベースの技術では、帯域は、連続する時間スライスまたは時間スロットへ分割される。チャネルのおのおののユーザには、ラウンド・ロビン方式で情報を送信および受信するための時間スライスが提供される。例えば、所定の時間ｔにおいて、ユーザは、短いバーストのために、チャネルへの接続が提供される。その後、接続は、情報を送信および受信するための時間の短いバーストが提供された別のユーザへ切り換わる。この「交代」サイクルは継続し、最終的には、おのおののユーザに、複数の送信バーストおよび受信バーストが提供される。
【０００６】
符号分割ベースの技術は、一般には、範囲内の任意の時間において利用可能な多くの周波数によってデータを送信する。一般に、データはデジタル化され、利用可能な帯域幅にわたって広げられる。そこでは、多くのユーザが、チャネル上にオーバレイされ、それぞれのユーザは、ユニークなシーケンス符号が割り当てられる。ユーザは、スペクトルの同じ広帯域チャンクで送信することができる。そこでは、おのおののユーザの信号は、それぞれのユニークな拡散符号によって帯域幅全体にわたって広げられる。この技術は、１または複数のユーザが、同時に送信および受信することができる共有を提供することができる。そのような共有は、ユーザのビット・ストリームが符号化され準ランダム方式で非常に広いチャネルにわたって広げられる拡散スペクトル・デジタル変調によって達成されうる。受信機は、特定のユーザのビットをコヒーレントな方式で収集するために、関連するユニークなシーケンス符号を認識し、無作為化を元に戻すように設計されうる。
【０００７】
さらに詳しくは、周波数分割ベースの技術は一般に、スペクトルを一様な帯域幅チャンクへ分割することによって別個のチャネルへ分割する。例えば、無線セルラ電話通信のために割り当てられる周波数帯域の部分が、３０チャネルへ分割され、それらおのおのが、音声会話を伝送することができるか、あるいはデジタル・サービスを用いてデジタル・データを伝送することができる。おのおののチャネルは、一度に、１つのユーザのみに割り当てられうる。
【０００８】
１つの一般的に利用される変形は、システム帯域幅全体を、複数の直交サブ帯域に効率的に区分する直交周波数分割技術である。直交は、サブ・チャネル間のクロス・トークが除去され、キャリア間のガード帯域が必要とされない周波数が選択されることを意味する。これらのサブ帯域はまた、トーン、キャリア、サブ・キャリア、値域（ｂｉｎ）、および周波数チャネルとも称される。おのおののサブ・キャリアは、低シンボル・レートで、（例えば、直交振幅変調のような）従来の変調スキームを用いて変調される。直交周波数分割は、複雑な等値化フィルタを用いることなく、−例えば、長い銅線における高い周波数の減衰、マルチパスによる狭帯域干渉および周波数選択フェージングのような厳しいチャネル条件に対処するための有利な機能を有している。低いシンボル・レートによって、シンボル間のガード間隔を利用できるようにして、時間広がりを取り扱い、シンボル間干渉（ＩＳＩ）を除去することを可能にする。
【０００９】
直交化はまた、ナイキスト・レートに近い高いスペクトル効率を可能にする。利用可能な周波数帯域のほとんど全てが利用されうる。ＯＦＤＭは一般に、ほとんど「ホワイト」なスペクトルを有しており、他の同一チャネル・ユーザに関する良性な電磁気干渉特性を与え、単一のセルが１つと考慮される場合に、より高い送信電力を可能にする。また、内部のキャリア・ガード帯域がないと、送信機と受信機との両方の設計は従来のＦＤＭとは異なり、大いに簡素化され、おのおののサブ・チャネルのための個別のフィルタは必要とされない。
【００１０】
直交化は、しばしば、周波数再使用とペアにされ、遠く離れて位置するセルにおいてなされる通信が、スペクトルの同じ部分を使用し、理想的には、この大きな距離が、干渉を回避する。近くのセルにおいてなされるセル通信は、干渉の可能性を最小化するために、異なるチャネルを使用する。セルの大きな形状にわたって、遠く離れたセルのみが同じスペクトルを再使用することができるようにパターン全体にわたって共通のチャネルを分布させることによって、可能な限り多くの周波数スペクトルが再使用される。そのような場合、かつ、異なるユーザに帯域幅を割り当てるためのスケジューラ・フレキシビリティが導入される場合、セル間の干渉制御が重要となる。
【００１１】
ＯＦＤＭでは、セル内干渉はわずかしか含まれない。より高いシステム効率への障害は、セル間干渉となる。セル間干渉の管理を改善し、同時に、様々なセル多様化（例えば、同期および非同期）を取り扱うために十分ロバストであり、様々なユーザ・デバイスまたはエンド・ノード（例えば、廉価で基本的な用途のみならず、課された高価な機能）をサポートするために、無線通信領域における考慮を必要とする。
【発明の概要】
【００１２】
以下は、開示された実施形態の幾つかの局面の基本的な理解を与えるために、簡略化された概要を表す。この概要は、広範な概観ではなく、重要な要素または決定的な要素を特定するものでも、そのような実施形態の範囲を線引きするものでもないことが意図される。その目的は、説明される実施形態の幾つかの概念を、後に表されるより多くの詳細記載に対する前置きとして、より簡単な形式で表すことである。
【００１３】
局面では、セル間干渉を緩和するための方法は、通信帯域幅を複数のサブ帯域に分割し、かつ、サブ帯域毎に負荷インジケータを適用することによって、粒度および増加された効率を得る。サブ帯域毎の負荷情報は、バイナリ負荷インジケータ・データとして提供され、サービス提供セルのため、および、近隣セルへのブロードキャストのために提供される。ユーザ機器（ＵＥ）は、サービス提供セルと非サービス提供近隣セルとの両方に対する、サブ帯域毎ベースの負荷インジケータ・データへのアクセスを有する。これは、帯域幅のより完全な利用を可能にする粒度のレベルを提供し、より多くのＵＥが、所与の帯域幅内での負荷で動作することができる。
【００１４】
別の局面では、セル間干渉を管理し、ＵＥベースの負荷管理によってセル間干渉を低減する方法が開示される。この方法は、同期または非同期で動作する複数のセルをロバストに取り扱い、個々のＵＥ機能が、セル間干渉の低減を最適化する要因となることができる。ＵＥが起動すると、ＵＥは一般に、サービス提供セル・アクセス・ノードから、サービス提供セル動作のタイプ（例えば、同期または非同期）を示すメッセージを受信する。この動作のタイプは、ＵＥに対して、セル間干渉を低減する１つの方法または別の方法に従わせる。現在の方法によって、ＵＥは、サービス提供セルの動作モードに依存しないセル間干渉低減のための最良の方法を探索することが可能となる。１つの限定しない例において、ＵＥは、非同期セルにおいて動作しうるが、近隣セルの負荷データに直接的にアクセスする機能を持つことができる。この場合、ＵＥは、サービス提供セルのバックホール・チャネルを介して到来するサブ帯域毎の近隣セル・バイナリ負荷情報を待つのではなく、サブ帯域毎のより高速な直接近隣セル・バイナリ負荷情報に基づいて、送信電力スペクトル密度を低減または維持するように動作しうる。
【００１５】
局面では、セル間干渉を緩和する方法は、通信帯域幅を複数のサブ帯域に分割し、かつ、サブ帯域毎の観察された負荷に対応する負荷判定基準を提供することによって、粒度と、増加した効率とを得る。負荷判定基準は、ユーザ機器（ＵＥ）のため、および、近隣セルへのブロードキャストのために提供されうる。サービス提供セルはまた、バックホール・チャネルを介して隣接セルから、サブ帯域毎の負荷判定基準を受信し、それをＵＥへ提供する。ユーザ機器はまた、隣接セルから直接的にサブ帯域毎ベースで、負荷判定基準のアクセスを得ることができる。
【００１６】
別の局面では、ＵＥベースの通信システムのための方法が開示される。ＵＥは、サブ帯域ベースで、隣接セル負荷判定基準情報を受信する。ＵＥは、負荷判定基準情報のソースを決定する。この情報が、隣接セルから直接的に得られる場合（例えば、バックホールによる情報フローが利用可能ではない場合）、ＵＥは、割り当てられたサブ帯域が、隣接セルの判定基準に負荷されているのかを判定し、もしもそうであれば、その送信電力スペクトル密度を低減しうる。判定基準が、無負荷状態を示す場合、ＵＥは、割り当てられたサブ帯域送信電力スペクトル密度を維持する。負荷判定基準情報のソースが隣接セルではない場合、ＵＥは、サービス提供セルによって指示されたように、割り当てられた送信電力スペクトル密度を維持する。
【００１７】
局面では、セル間干渉緩和を促進する方法は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとを備える。
【００１８】
別の局面では、コンピュータ読取可能記憶媒体は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとを備える動作を実行するためのコンピュータ読取可能命令を格納している。
【００１９】
また別の局面では、装置は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとからなる動作を実行するためのコンピュータ実行可能命令を備える記憶媒体を備える。プロセッサは、このコンピュータ実行可能命令を実行する。
【００２０】
局面では、セル間干渉緩和を容易にするシステムは、ＮがＮ＞２の整数である場合、セル帯域幅をＮ個のサブ帯域に分割する手段と、それぞれのサブ帯域をそれぞれのユーザ機器（ＵＥ）に割り当てる手段と、サブ帯域割当を追跡する手段と、サブ帯域割当を近隣セルにブロードキャストする手段とを備える。
【００２１】
別の局面では、セル間干渉緩和を容易にする方法は、割り当てられたサブ帯域を受信し、ユーザ機器（ＵＥ）の機能を特定し、ＵＥが機能しきい値を満足するのであれば、コンフリクトしているサブ帯域負荷インジケータ・データを求めて近隣セルを調べ、コンフリクトが存在すれば、ＵＥ電力を低減し、コンフリクトが存在していなければ、ＵＥ電力を維持することを備える。
【００２２】
別の局面では、コンピュータ読取可能記憶媒体は、割り当てられたサブ帯域を受信することと、ユーザ機器（ＵＥ）の機能を特定することと、ＵＥが機能しきい値を満足するのであれば、コンフリクトしているサブ帯域負荷インジケータ・データを求めて近隣セルを調べることと、コンフリクトが存在すれば、ＵＥ電力を低減することと、コンフリクトが存在しなければ、ＵＥ電力を維持することとを備える動作を実行するためのコンピュータ読取可能命令群を格納している。
【００２３】
また別の局面では、装置は、割り当てられたサブ帯域を受信することと、ユーザ機器（ＵＥ）の機能を特定することと、ＵＥが機能しきい値を満足するのであれば、コンフリクトしているサブ帯域負荷インジケータ・データを求めて近隣セルを調べることと、コンフリクトが存在すれば、ＵＥ電力を低減することと、コンフリクトが存在しなければ、ＵＥ電力を維持することとからなる動作を実行するためのコンピュータ実行可能命令群を備える記憶媒体を備える。プロセッサは、このコンピュータ実行可能命令群を実行する。
【００２４】
前述した目的および関連する目的を達成するために、１または複数の実施形態が、以下に完全に記載され、特に、特許請求の範囲において指摘された特徴を備えている。以下の説明および添付図面は、ある例示的な局面を詳細に示しており、実施形態の原理が適用される様々な方法のうちのほんのわずかを示しているに過ぎない。以下の詳細説明が図面とともに検討された場合、その他の利点および新規の特徴が以下の詳細説明から明らかになり、開示された実施形態は、そのような全ての局面およびそれらの等価物を含むことが意図される。
【００２５】
局面では、セル間干渉緩和を容易にする方法は、セル帯域幅を複数のサブ帯域に分割することと、サブ帯域毎の観察された負荷に対応する負荷判定基準を近隣セルに提供することとを備える。負荷判定基準はまた、ＵＥへとブロードキャストされうる。
【００２６】
別の局面では、コンピュータ読取可能記憶媒体は、セル帯域幅を複数のサブ帯域に分割することと、サブ帯域毎の観察された負荷に対応する負荷判定基準を近隣セルに提供することとを備える動作を実行するためのコンピュータ読取可能命令群を格納している。このコンピュータ読取可能記憶媒体は、負荷判定基準をブロードキャストするためのコンピュータ読取可能命令群を格納している。
【００２７】
局面では、プロセッサは、セル帯域幅を複数のサブ帯域に分割することと、サブ帯域毎の観察された負荷に対応する負荷判定基準を近隣セルに提供することとを備える動作を実行するためのコードを実行する。このプロセッサは、負荷判定基準をブロードキャストするためのコードを実行する。
【００２８】
また別の局面では、装置は、セル帯域幅を複数のサブ帯域に分割することと、サブ帯域毎に観察された負荷に対応する負荷判定基準を近隣セルに提供することとからなる動作を実行するためのコンピュータ実行可能命令群を備える記憶媒体を備える。サブ帯域毎の負荷判定基準をＵＥにブロードキャストするためのコンピュータ実行可能命令群が、記憶媒体上に構成されうる。プロセッサは、コンピュータ実行可能命令群を実行する。
【００２９】
また別の局面では、セル間干渉緩和を容易にするシステムは、セル帯域幅を複数のサブ帯域に分割する手段と、サブ帯域毎に負荷判定基準をブロードキャストする手段のみならず、サブ帯域毎に観察された負荷に対応する負荷判定基準を近隣セルに提供する手段とを備える。
【００３０】
局面では、セル間干渉緩和を容易にするＵＥベースの通信システムのための方法は、サブ帯域毎に隣接セル負荷判定基準を受信することと、サブ帯域毎の隣接セル負荷判定基準が、サービス提供セルから受信されたか、あるいは隣接セルから受信されたかを判定することと、割り当てられたサブ帯域が隣接セル内に負荷されているかを判定することとを備える。隣接セルが負荷判定基準を提供し、この負荷判定基準が、割り当てられたサブ帯域が負荷されていることを示すのであれば、割り当てられた送信電力スペクトル密度が低減される。割り当てられたサブ帯域が負荷されていないか、あるいは、隣接セル負荷判定基準のソースがサービス提供セルであれば、割り当てられた送信電力スペクトル密度が維持される。
【００３１】
また別の局面では、コンピュータ読取可能記憶媒体は、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとを備える動作を実行するためのコンピュータ読取可能命令群を格納している。
【００３２】
局面では、プロセッサは、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとを備える動作を行うコードを実行する。
【００３３】
さらに別の局面では、装置は、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとの各動作を実行するためのコンピュータ実行可能命令群を備える記憶媒体を備える。プロセッサは、コンピュータ実行可能命令群を実行する。
【００３４】
別の局面では、ＵＥベースの通信システムのためのシステムは、サブ帯域毎に隣接セル負荷判定基準を受信する手段と、サブ帯域毎の隣接セル負荷判定基準が、サービス提供セルから受信されたか、隣接セルから受信されたかを判定する手段と、割り当てられたサブ帯域が隣接セル内に負荷されたかを判定する手段と、隣接セルが負荷判定基準を提供し、かつ、この負荷判定基準が、割り当てられたサブ帯域が負荷されていることを示すのであれば、割り当てられた送信電力スペクトル密度を低減する手段と、割り当てられたサブ帯域が負荷されていないか、あるいは、隣接セル負荷判定基準のソースがサービス提供セルであれば、割り当てられた送信電力スペクトル密度を維持する手段とを備える。
【００３５】
前述した目的および関連する目的を達成するために、１または複数の実施形態は、以下に十分説明され、特に特許請求の範囲において指摘された特徴を備える。以下の説明および添付図面は、ある例示的な局面を詳細に示しており、実施形態の原理が適用される様々な方法のうちのほんのわずかを示しているに過ぎない。以下の詳細説明が図面とともに検討された場合、その他の利点および新規の特徴が以下の詳細説明から明らかになり、開示された実施形態は、そのような全ての局面およびそれらの等価物を含むことが意図される。
【図面の簡単な説明】
【００３６】
【図１】図１は、本明細書で述べられた様々な局面にしたがう無線通信システムの例示である。
【図２】図２は、サブ帯域バイナリ負荷インジケータおよび帯域幅バイナリ負荷インジケータの典型的な例である。
【図３】図３は、様々な局面にしたがって実現される典型的な通信システム（例えば、セルラ通信ネットワーク）の例である。
【図４】図４は、様々な局面にしたがった典型的なエンド・ノード（例えば、モバイル・ノード）の例である。
【図５】図５は、本明細書に記載された様々な局面にしたがって実現される典型的なアクセス・ノードの例である。
【図６】図６は、セルおよびその近隣を示す典型的なマルチ・セル・システムの例である。
【図７】図７は、アプリケーション制御を示すセル間干渉の典型的な局面の例である。
【図８】図８は、セル間干渉を緩和することに関連する局面を例示するフロー図である。
【図９】図９は、セル間干渉を緩和することに関連する局面を例示するフロー図である。
【図１０】図１０は、様々な局面にしたがって、同期直交システムおよび非同期直交システムにおけるＵＥベースのセル間干渉緩和のための典型的なロジック・フロー図である。
【図１１】図１１は、同期直交システムにおけるＵＥベースのセル間干渉緩和のための典型的なロジック・フロー図である。
【図１２】図１２は、非同期直交システムにけるＵＥベースのセル間干渉緩和のための典型的なロジック・フロー図である。
【図１３】図１３は、セル間干渉の緩和を容易にするシステムを例示するシステム図である。
【図１４】図１４は、セル間干渉を緩和することに関連する局面を例示するフロー図である。
【図１５】図１５は、様々な局面にしたがうＵＥベースの通信システムのための典型的なロジック・フロー図である。
【図１６】図１６は、セル間干渉を緩和することを容易にするシステムを例示するシステム図である。
【図１７】図１７は、様々な局面にしたがうＵＥベースの通信システムのためのシステムを例示するシステム図である。
【発明を実施するための形態】
【００３７】
特許請求された主題が、同一参照符号が全体を通じて同一要素を参照するために使用される図面を参照して説明される。以下の説明では、特許請求された主題の完全な理解を提供するために、説明の目的で、多くの具体的な詳細が説明される。しかしながら、特許請求された主題は、これら具体的な詳細なしで実現されうることが明白でありうる。他の例では、周知の構成およびデバイスが、特許請求された主題を説明することを容易にするために、ブロック図形式で示される。
【００３８】
様々な実施形態が、同一参照符号が全体を通じて同一要素を示すために使用される図面を参照して説明される。以下の説明では、１または複数の局面の完全な理解を提供するために、説明の目的で、多くの具体的な詳細が説明される。しかしながら、そのような実施形態は、これら具体的な詳細なしで実現されうることが明白でありうる。他の例では、周知の構成およびデバイスが、１または複数の実施形態を説明することを容易にするために、ブロック図形式で示される。本願で使用されるように、用語「構成要素」、「モジュール」、「システム」等は、ハードウェア、ファームウェア、ハードウェアとソフトウェアの組み合わせ、ソフトウェア、実行中ソフトウェアのうちの何れかであるコンピュータ関連エンティティを称することが意図されている。例えば、構成要素は、限定される訳ではないが、プロセッサ上で動作するプロセス、プロセッサ、集積回路、オブジェクト、実行形式、実行スレッド、プログラム、および／またはコンピュータでありうる。例によれば、コンピュータ・デバイス上で動作するアプリケーションと、コンピュータ・デバイスとの両方が構成要素になりうる。１または複数の構成要素は、実行スレッドおよび／またはプロセス内に存在することができる。そして、構成要素は、１つのコンピュータに局在することも、および／または、２またはそれ以上のコンピュータに分散されることもできる。また、これらの構成要素は、格納された様々なデータ構成を有する様々なコンピュータ読取可能媒体から実行することができる。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００３９】
様々な実施形態が、多くのデバイス、構成要素、モジュール等を含みうるシステムの観点から示されるだろう。様々なシステムが、追加のデバイス、構成要素、モジュール等を含んでおり、および／または、図面と関連して説明するようなデバイス、構成要素、モジュール等のうちの必ずしも全てを含む訳ではないことが理解され認識されるべきである。これらのアプローチの組み合わせもまた使用可能である。
【００４０】
「典型的な」という用語は、本明細書において、「例、事例、または例示として役立つ」ことを意味するために使用される。本明細書で「典型的な」と説明される実施形態または設計は、その他の実施形態または設計に対して必ずしも好適であるとか有利であると解釈される必要はない。「リスンすること」（"listening"）という用語は、本明細書において、受信デバイス（アクセス・ポイントまたはアクセス端末）が、所与のチャネルでデータを受信し、そのデータを処理することを意味する。
【００４１】
通信リソースを移行させることに関し、様々な局面が、推論スキームおよび／または推論技術を組み込むことができる。本明細書で使用されるように、用語「推測」は一般に、イベントおよび／またはデータによって取得された観察のセットから、システム、環境、および／またはユーザに関する推理を行ったり、あるいはそれらの状態を推論するプロセスを称する。推測は、具体的なコンテクストまたは動作を特定するために適用されるか、あるいは、例えば、状態にわたる確率分布を生成しうる。推論は確率論的、すなわち、ユーザの目的および意図の観点における、データ、イベント、または理論的な判定の考慮に基づく興味のある状態にわたる確率分布の計算であり、確率的な推論を構築し、最も高く期待される利用度の動作を表すことを考慮する。推論はまた、イベントおよび／またはデータのセットから、より高レベルなイベントを構築するために適用される技術をも称しうる。そのような推論により、イベントが時間的に近接して相関付けられていようとも、イベントおよびデータが１または幾つかのイベント・ソースおよびデータ・ソースから由来していようとも、観察されたイベントのセットおよび／または格納されたイベント・データから、新たなイベントまたは動作が構築される。
【００４２】
さらに、本明細書では加入者局に関連して様々な局面が記述される。加入者局はまた、システム、加入者ユニット、移動局、モバイル、遠隔局、アクセス・ポイント、遠隔端末、アクセス端末、ユーザ端末、ユーザ・エージェント、ユーザ・デバイス、モバイル・デバイス、ポータブル通信デバイス、あるいはユーザ機器とも称される。加入者局は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。
【００４３】
さらに、本明細書に記載の様々な局面または特徴は、標準的なプログラミング技術および／またはエンジニアリング技術を用いた方法、装置、または、製造物品として実現されうる。本明細書で使用される用語「製造物品」は、任意のコンピュータ読取可能デバイス、キャリア、または媒体からアクセス可能なコンピュータ・プログラムを含むことが意図される。例えば、コンピュータ読取可能媒体は、限定される訳ではないが、磁気記憶デバイス（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。くわえて、本明細書に記載の様々な記憶媒体は、情報を格納するための１または複数のデバイスおよび／またはその他の機械読取可能媒体を表しうる。用語「機械読取可能媒体」は、限定される訳ではないが、無線チャネルや、命令（群）および／またはデータを格納、包含、および／または搬送することが可能なその他様々な媒体を含みうる。
【００４４】
図１に示すように、無線通信システム１００が、本明細書に記載の様々な実施形態にしたがって例示される。システム１００は、無線通信信号を受信し、それを無線端末１０４へ送信し、それを繰り返すなどする基地局１０２を備えうる。さらに、システム１００は、基地局１０２に類似した複数の基地局、および／または、無線端末１０４に類似した複数の無線端末を含むことができると考慮される。基地局１０２は、送信機チェーンおよび受信機チェーンを備えうる。それらおのおのは、当業者によって理解されるように、信号送信および信号受信に関連する複数の構成要素（例えば、プロセッサ、変調器、マルチプレクサ、復調器、デマルチプレクサ、アンテナ等）を備えうる。基地局１０２は、固定局および／またはモバイルでありうる。無線端末１０４は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するためのその他任意のデバイスでありうる。また、無線端末１０４は、固定式または移動式でありうる。
【００４５】
無線端末１０４は、任意の所与の時間において、ダウンリンク・チャネルおよび／またはアップリンク・チャネルで基地局１０２（および／または異種の基地局）と通信することができる。ダウンリンク・チャネルは、基地局１０２から無線端末１０４への通信リンクを称し、アップリンク・チャネルは、無線端末１０４から基地局１０２への通信リンクを称する。基地局１０２はさらに、例えば、無線端末１０４の認証および許可、アカウント、課金等のような機能を実行する他の基地局および／または異種の任意のデバイス（例えば、サーバ）（図示せず）と通信することができる。
【００４６】
基地局１０２はさらに、電力コントローラ１０６および無線端末ベリファイヤ１０８を含むことができる。電力コントローラ１０６は、無線端末１０４（および／または異種の任意の無線端末）に関する電力レベルを測定することができる。電力コントローラ１０６はさらに、電力レベルを調節することを容易にするために、電力コマンドを無線端末１０４へ送ることができる。例えば、電力コントローラ１０６は、送信ユニットの第１のサブセットに関連する１または複数の送信ユニットに電力コマンドを送信することができる。電力コマンドは、例えば、電力レベルを増加すること、電力レベルを低下すること、電力レベルを維持すること等を示すことができる。電力を増加または低下する電力コマンドを受信すると、無線端末１０４は、関連する電力レベルを、固定された（例えば、予め設定された）量および／または可変量、変えることができる。この予め設定された量は、ある要因（例えば、周波数再使用要因、異なるモバイル局におけるチャネル条件）に基づく可変サイズでありうる。さらに、無線端末ベリファイヤ１０８は、送信ユニットの第２のサブセットに関連する１または複数の送信ユニットにおける無線端末（例えば、無線端末１０４）に関する端末識別子に応じて情報を送信することができる。さらに、セッションＯＮ状態である場合、１または複数のＯＮ識別子が、おのおのの無線端末へ割り当てられ、ＯＮ識別子が、送信ユニットの第１のサブセットおよび第２のサブセットに関連付けられうる。送信ユニットは、（例えば、時間領域、周波数領域、時間領域と周波数領域との両方からなるハイブリッドのような）可変フォーマットでありうる。
【００４７】
電力コントローラ１０６は、ダウンリンク電力制御チャネル（ＤＬＰＣＣＨ）によって電力コマンドを送信することができる。例にしたがうと、無線端末１０４がセッションＯＮ状態にアクセスすると、基地局１０２によって、リソースが無線端末１０４に割り当てられうる。そのようなリソースは、特定のＤＬＰＣＣＨセグメント、１または複数のＯＮ識別子等を含みうる。ＤＬＰＣＣＨは、無線端末１０４の送信電力を制御するダウンリンク電力制御メッセージを送信するために、（例えば、電力コントローラ１０６を適用する）基地局セクタ接続ポイントによって利用されうる。
【００４８】
無線端末ベリファイヤ１０８は、電力コントローラ１０６によって転送された電力コマンドとともに、この電力コマンドに対応する無線端末（例えば、無線端末１０４）に関連する情報を送信することができる。例えば、無線端末ベリファイヤ１０８は、無線端末（例えば、無線端末１０４）に関連する端末識別子（例えば、スクランブリング・マスク）に応じて情報を送信することができる。無線端末ベリファイヤ１０８は、そのような情報をＤＬＰＣＣＨによって転送することができる。例示によれば、無線端末１０４に関連する情報は、電力コントローラ１０６からの電力コマンド送信のサブセットとともにＤＬＰＣＣＨによって送信されうる。
【００４９】
無線端末１０４はさらに、無線端末１０４に関連して受信された情報を評価するベリフィケーション情報コンパレータ１１０を含む。ベリフィケーション情報コンパレータ１１０は、無線端末１０４が、基地局１０２によって述べられたようにリソースを利用しているかを判定するために、この受信した信号を分析することができる。したがって、ベリフィケーション情報コンパレータ１１０は、ＤＬＰＣＣＨによって送信されたシンボルのＱ成分に含まれる情報を評価することができる。例えば、基地局１０２は、識別子（例えば、セッションＯＮ  ＩＤ）を無線端末１０４に割り当てており、ベリフィケーション情報コンパレータ１１０は、無線端末１０４が、割り当てられた識別子に関連する適切なリソースを用いるかを分析することができる。他の例によれば、ベリフィケーション情報コンパレータ１１０は、無線端末１０４が、基地局１０２によって割り当てられたＤＬＰＣＣＨのセグメントを利用しているか、および／または、基地局１０２が、無線端末１０４に以前に割り当てられたリソース（例えば、セッションＯＮ  ＩＤ）を再利用したかを判定することができる。
【００５０】
それぞれの状態が与えられると、基地局１０２または無線端末１１０は、ユーザ機器（ＵＥ）となりうることが認識されるべきである。アップリンク通信の場合、逆方向リンク負荷を制御することが望ましい。従来、一般的に、時間帯域−周波数帯域のために単一制御が適用されている。しかしながら、それによって、比較的柔軟性のないフレームワークとなっている。通信帯域を幾つかのサブ帯域に分割することによって、従来のスキームに対して、柔軟性が高められるようになる。−これは、サブ帯域毎に異なる制御を可能とするのみならず、それぞれのサブ帯域にわたって異なる制御しきい値を持つことによって、制御粒度が高められる。制御が高められることにより、異なる目的、および、従来スキームに対して逆方向アップリンク・リソースのより効率的な利用のためにサブ帯域を用いることができる。市場の力は、この業界を、システム・パフォーマンスの最適化を試みるために、より簡単な通信プロトコルに向けて動かした。本明細書で権利主張され説明される局面は、複数のサブ帯域およびその制御を利用して処理オーバヘッドを増加することによって、従来の知識および市場の力に対抗する。しかしながら、そのような認識された処理負荷に耐えた結果、より粒度の高いサブ帯域の制御と、より高められたシステム・リソースの利用度とによって与えられる柔軟性の結果として、システム全体のパフォーマンスの最適化が容易とされる。例えば、単一制御の従来システムでは、与えられたセル内の全てのユーザが、電力を増加することができる。これは、近隣セルの干渉を招く。これを受けて、近隣セルのＵＥは恐らく、干渉に打ち勝つために、電力を増加することによって応じるだろう。これは、他のセルにおける干渉を引き起こす。従って、そのように電力上昇に向かう収斂は、生成された干渉を合成する。
【００５１】
さらに詳しくは、直交システムにおける干渉管理は、近隣セルによって引き起こされる干渉を特定および緩和することによって容易とされる。通信帯域幅は、多数のサブ帯域に分割され、負荷インジケータがサブ帯域毎に提供される。以前に述べたように、そのようにすることによって、セル間干渉を緩和し、制御粒度を向上し、システム・リソースの全体的な利用を容易にする。サブ帯域毎の負荷情報は、バイナリ負荷インジケータ・データとして提供され、サービス提供セルと、近隣セルへのブロードキャストとの両方のために提供される。ユーザ機器（ＵＥ）は、サブ帯域毎ベースで、サービス提供セルと、非サービス提供近隣セルの負荷インジケータ・データとの両方に対するアクセスを有する。これは、帯域幅のより完全な利用を可能にする粒度レベルを与え、より多くのＵＥが、所与の帯域幅内の負荷で動作することができる。
【００５２】
ＵＥベースの負荷管理は、同期または非同期のいずれかで動作する複数のセルにわたって取り扱われうる。これによって、個々のＵＥの機能が、セル間干渉の低減を最適化する際の要因となりうる。ＵＥが起動されると、ＵＥは一般に、サービス提供セル動作のタイプ（例えば、同期または非同期）を示すメッセージを、サービス提供セル・アクセス・ノードから受信する。この動作のタイプは、ＵＥに、セル間干渉を低減する１つあるいは別の方法に従わせる。現在の方法は、ＵＥが、サービス提供セルの動作モードに依存しないセル間干渉低減のための最良の方法を見つけることを可能にする。１つの限定しない例では、ＵＥは、非同期セル内で動作しうるが、近隣セルの負荷データに直接的にアクセスする機能を有する。この場合、ＵＥは、サービス提供セルのバックホール・チャネルを介して到来するサブ帯域毎の近隣セル・バイナリ負荷情報を待つのではなく、サブ帯域毎のより高速な直接的な近隣セル・バイナリ負荷情報に依存して、その送信電力スペクトル密度を低減または維持することができる。
【００５３】
直交セルラ・システムでは、セル端のサービス品質（ＱｏＳ）を保証するために、セル間干渉が緩和されねばならない。別のシステムは、別の技術形式を適用するが、本質的には、２つの学派がある。ネットワークに基づいたソリューションでは、おのおののセルが、その近隣セルの信号対雑音比（ＳＮＲ）測定値に基づいて、おのおののＵＥの送信電力スペクトル密度（Ｔｘ  ＰＳＤ）を制御する。−これは、汎用パケット・ラジオ・サービス（ＧＰＲＳ）に類似している。ＵＥに基づいたソリューションでは、おのおののＵＥが、近隣セルのＳＮＲに基づいて、自身のＴｘ  ＰＳＤを制御する。さらに、ＵＥに基づいたソリューションでは、２つの局面がある。近隣セルに基づいた局面では、おのおののＵＥが、高速アップリンク・パケット・アクセス（ＨＳＵＰＡ）、ＬＴＥ、およびＤＯｒＣと同様に、検出した近隣セルのサブセットによって送信されたアップリンク負荷インジケータをモニタする。サービス提供セルの局面では、サービス提供セルは、（例えば、フラッシュで使用される）地理的な近隣セルのアップリンク負荷をブロードキャストする。本明細書に記載された局面は、上記２つのソリューションを適切に組み合わせるＵＥベースのアップリンク負荷管理スキームを適用する。
【００５４】
ＵＥベースのアプローチでは、おのおののソリューションの利点および欠点がある。近隣セル・ベースの局面では、ＵＥは、近隣セル負荷を迅速に検出することができる。しかしながら、非同期システムでは、ＵＥは、検出されたおのおのの近隣セルのために、複数の高速フーリエ変換（ＦＦＴ）タイミングを維持する必要がある。これは欠点である。サービス提供セル・ベースの局面では、ＵＥは、どの近隣セルのタイミングも維持する必要はない。これは利点である。しかしながら、負荷情報は、バックホールを通じて伝搬する必要がある（欠点）。
【００５５】
（例えば、様々な機能を組み合わせた）ハイブリッド・アプローチによって、パフォーマンスが改善される。組み合わせるために、おのおののセルは、両パラメータをブロードキャストし、アップリンク・セル間干渉が受信機（Ｒｘ）において見られる。バイナリ値の負荷インジケータが、サブ帯域毎に適用される。これは、それぞれのセルが、特定のサブ帯域に負荷されるか否かを示す。サブ帯域は、全システム帯域幅（例えば、おのおの９００ＫＨｚの２０個のサブ帯域を持つ２０ＭＨｚシステムおよび１８ＭＨｚからなる拡大された帯域幅）と等しいかあるいはそれよりも小さい。送信は、プライマリ・ブロードキャスト・チャネル（ＢＣＨ）で行われる。近隣セルの負荷に関して、負荷は、地理的に近いセルからなされ、サブ帯域毎に示される。
【００５６】
ＵＥの挙動に関し、ＵＥは、検出された近隣セルの負荷に依存してＴｘ  ＰＳＤを低減する。検出は、以下の２つのアプローチのうちの何れかに基づく。（１）近隣セルから送信され、復号された負荷インジケータ、（２）サービス提供セルから送信され、復号された近隣セル負荷情報。同期システムでは、ＵＥは、近隣セルから送信された負荷インジケータに依存する。非同期システムでは、ＵＥは、サービス提供セルから送信された近隣セルの負荷情報に依存する。
【００５７】
代替局面では、ＵＥ機能（例えば、複数のＲｘタイミング、Ｔｘ  ＢＷ機能（１０ＭＨｚ対２０ＭＨｚ、およびピーク・データ・レート機能）を維持する能力）に依存する非同期システムにおける挙動を想定することができる。ＵＥは、システムが同期しているか否かを知っており、情報が、システム・パラメータの一部としてＢＣＨ（ブロードキャスト・チャネル）で送信される。
【００５８】
図２は、本発明の局面の例を与える。図示するように、与えられた帯域幅は、多くのサブ帯域２０１（例えば、サブ帯域１乃至Ｎ）を備える。おのおののサブ帯域は、バイナリ値の負荷インジケータ２０２を提供し、そのサブ帯域が使用中であるか２０４、あるいは、特定のセルにおける使用に利用可能であるか２０５を示す。サブ帯域１，２が使用中であり、サブ帯域３乃至Ｎが実際に利用可能である場合、サブ帯域部分が提供された帯域幅バイナリ値負荷インジケータ２０３と比較された場合、より細かい粒度が見られる。
【００５９】
他の局面では、サブ帯域が負荷されているかの判定は、予め定めたしきい値を超えて増加するサブ帯域の負荷要因に基づく。
【００６０】
前述した議論は、帯域幅を、与えられたセルのためのサブ帯域に分割することに注目していた。開示された局面は、この例に限定されず、例えば、セルをセクタに分割し、さらに、セクタ帯域をサブ帯域に分割するような他のアプリケーションを含んでいることが理解されるべきである。
【００６１】
図３に示すように、様々な局面にしたがって実現され、通信リンク３０５、３０７、３０８、３１１、３４１、３４１’、３４１”、３４１Ａ、３４５、３４５’、３４５”、３４５Ｓ、３４７、３４７’、３４７”、および３４７Ｓによって相互接続された複数のノードを備える（例えば、セルラ通信ネットワークのような）典型的な通信システム３００が例示されている。典型的な通信システム３００におけるノードは、通信プロトコル（例えば、インターネット・プロトコル（ＩＰ））に基づき、信号を使用して情報（例えば、メッセージ）を交換することができる。システム３００の通信リンクは、例えば、有線、光ファイバ・ケーブル、および／または、無線通信技術を用いて実現されうる。典型的な通信システム３００は、複数のアクセス・ノード３４０、３４０’、および３４０”によって通信システム３００にアクセスする複数のエンド・ノード３４４、３４６、３４４’、３４６’、３４４”、および３４６”を含んでいる。エンド・ノード３４４、３４６、３４４’、３４６’、３４４”、および３４６”は、例えば無線通信デバイスまたは端末であり、アクセス・ノード３４０、３４０’、および３４０”は、例えば無線アクセス・ルータまたは基地局でありうる。典型的な通信システム３００はさらに、相互接続を提供するため、あるいは、（例えば、サービス提供セルおよび非サービス提供セルのサブ帯域バイナリ値負荷インジケータ・データのためのバックホール経路のような）特定のサービスまたは機能を提供するために使用されるその他多くのノード３０４、３０６、３０９、３１０、および３１２を含む。具体的には、典型的な通信システム３００は、エンド・ノードに関する状態の転送および格納をサポートするために使用されるサーバ３０４を含む。サーバ・ノード３０４は、ＡＡＡサーバ、コンテクスト転送サーバ、および、ＡＡＡサーバとコンテクスト転送サーバの両方の機能を含むサーバでありうる。
【００６２】
典型的な通信システム３００は、対応するネットワーク・リンク３０５、３０７、３０８によってそれぞれ中間ネットワーク・ノード３１０に接続されたサーバ３０４、ノード３０６、およびホーム・エージェント・ノード３０９を含むネットワーク３０２を示す。ネットワーク３０２内の中間ネットワーク・ノード３１０はまた、ネットワーク・リンク３１１を経由して、ネットワーク３０２の外部にあるネットワーク・ノードへの相互接続を提供する。ネットワーク・リンク３１１は、他の中間ネットワーク・ノード３１２にも接続される。この中間ネットワーク・ノード３１２はさらに、ネットワーク・リンク３４１、３４１’、３４１”を経由して、複数のアクセス・ノード３４０、３４０’、３４０”への接続を提供する。
【００６３】
おのおののアクセス・ノード３４０、３４０’、３４０”は、対応するアクセス・リンク（３４５、３４７）、（３４５’、３４７’）、（３４５”、３４７”）を経由して、複数のＮ個のエンド・ノード（３４４、３４６）、（３４４’、３４６’）、（３４４”、３４６”）への接続を提供するものとして示されている。同期システムでは、例えば３４５Ｓおよび３４７Ｓのようなアクセス・リンクもまた利用可能でありうる。同期システムまたは非同期システムでは、エンド・ノードは、３４１Ａによって示されるように、自身のセル環境外のアクセス・ノードに対するアクセス・リンクを確立する機能を有しうる。典型的な通信システム３００では、おのおののアクセス・ノード３４０、３４０’、３４０”は、アクセスを提供するために無線技術（例えば、無線アクセス・リンク）を用いるものとして示されている。おのおののアクセス・ノード３４０、３４０’、３４０”のラジオ有効範囲領域（例えば、通信セル３４８、３４８’、３４８”）はそれぞれ、対応するアクセス・ノードを囲む円として例示される。
【００６４】
典型的な通信システム３００は、本明細書に述べられた様々な局面の説明のベースとして示される。さらに、様々な異種のネットワーク・トポロジが、特許請求された主題の範囲内にあることが意図され、ネットワーク・ノードの数およびタイプ、アクセス・ノードの数およびタイプ、エンド・ノードの数およびタイプ、サーバやその他のエージェントの数およびタイプ、および、ノード間の相互接続は、図３に示す典型的な通信システム３００のものとは異なりうる。さらに、典型的な通信システム１００に示す機能エンティティは、省略あるいは結合されうる。さらに、ネットワーク内の機能エンティティの位置または配置が変えられうる。
【００６５】
制御トラフィックは、しばしば、チャネルと独立したレートで送信される。セル端部のユーザは一般に、厳しいチャネル悪化を経験し、より電力が制限されるようになる。電力制限と同様に、誤り率も増加し、例えばＨ−ＡＲＱのような高度な誤り制御メカニズムは、データのみならずトラフィックを制御するために適用可能ではないかもしれない。ＩｏＴ動作レベルは、一般に、セル端部のユーザからのトラフィック・データによって制限される。これらの要因は、例えば約５ｄＢのような低いＩｏＴ動作点に寄与する。したがって、アップリンク負荷判定基準（例えば、ＩｏＴ動作レベル）は、一般に、セル端部のユーザからの制御トラフィックによって制限される。
【００６６】
しかしながら、良好なチャネル条件のユーザは、電力制限される可能性は低く、はるかに高いＩｏＴ点をサポートすることができる。したがって、セル端部からの柔軟性のない低いＩｏＴ動作レベルによって、データ・トラフィックのためのアップリンク負荷管理を不必要に非効率にする。
【００６７】
アップリンク負荷管理メカニズムが記載される。このメカニズムは、利用可能な帯域全体にわたって同じ動作レベルではなく、サブ帯域について別個のアップリンク負荷動作レベル要件を利用し、（例えば、経路３４１Ａを生成することができる）エンド・ノード機能のみならず様々なセル・タイプにサービス提供できる（例えば、同期または非同期）ほどロバストである。サブ帯域に依存するアップリンク負荷情報を導入し、それを適切に管理することによって、ユーザ毎のより大きなスループットと、セクタ・スループットとが達成されうる。
【００６８】
サブ帯域の構成は、時間とともに動的に変化することができ、システム条件に適応することができ、異なるセクタ（図示せず）について異なりうる。
【００６９】
図４は様々な局面に関連する典型的なエンド・ノード４００（例えば、モバイル・ノード、無線端末）を例示する。典型的なエンド・ノード４００は、図４に示すエンド・ノード（例えば、４４４、４４６、４４４’、４４６’、４４４”、４４６”）のうちの任意の１つとして利用することが可能な装置でありうる。図示するように、エンド・ノード４００は、ともにバス４０６によって接続されたプロセッサ４０４、無線通信インタフェース４３０、ユーザ入力／出力インタフェース４４０、およびメモリ４１０を含む。したがって、エンド・ノード４００の様々な構成要素は、バス４０６を経由して情報、信号、およびデータを交換しうる。エンド・ノード４００の構成要素４０４、４０６、４１０、４３０、４４０は、ハウジング４０２内に位置しうる。
【００７０】
無線通信インタフェース４３０は、エンド・ノード４００の内部構成要素が外部デバイスおよびネットワーク・ノード（例えば、アクセス・ノード）と信号を授受するメカニズムを提供する。無線通信インタフェース４３０は、例えば、対応する受信アンテナ４３６を備えた受信機モジュール４３２と、（例えば、無線通信チャネルを介して）エンド・ノード４００を他のネットワーク・ノードに接続するために使用される対応する送信アンテナ４３８を備えた送信機モジュール４３４とを含む。
【００７１】
典型的なエンド・ノード４００はまた、ユーザ入力デバイス４４２（例えば、キーパッド）およびユーザ出力デバイス４４４（例えば、ディスプレイ）を含む。これらは、ユーザ入力／出力インタフェース４４０を経由してバス４０６に接続される。したがって、ユーザ入力デバイス４４２およびユーザ出力デバイス４４４は、ユーザ入力／出力インタフェース４４０およびバス４０６を介して、エンド・ノード４００の他の構成要素と情報、信号、およびデータを交換しうる。ユーザ入力／出力インタフェース４４０および関連するデバイス（例えば、ユーザ入力デバイス４４２、ユーザ出力デバイス４４４）は、ユーザが、様々なタスクを達成するためにエンド・ノード４００を操作することができるメカニズムを提供する。特に、ユーザ入力デバイス４４２およびユーザ出力デバイス４４４は、ユーザが、エンド・ノード４００のメモリ４００内で実行するアプリケーション（例えば、モジュール、プログラム、ルーチン、関数等）およびエンド・ノード４００を制御することを可能にする機能を提供する。
【００７２】
プロセッサ４０４は、メモリ４１０に含まれる様々なモジュール（例えば、ルーチン）によって制御され、本明細書に記載したような様々なシグナリングおよび処理を実行するためにエンド・ノード４００の動作を制御することができる。メモリ４１０に含まれるモジュールは、起動時に、あるいは、他のモジュールによって呼び出されると実行される。モジュールは、実行されると、データ、情報、および信号を交換することができる。モジュールはまた、実行されると、データおよび情報を共有することができる。エンド・ノード４００のメモリ４１０は、シグナリング／制御モジュール４１２、およびシグナリング／制御データ４１４を含みうる。
【００７３】
シグナリング／制御モジュール４１２は、状態情報の格納、検索、および処理の管理のための信号（例えば、メッセージ）を受信および送信することに関連する処理を制御する。シグナリング／制御データ４１４は、例えば、パラメータ、状態、および／または、エンド・ノードの動作に関するその他の情報のような状態情報を含む。特に、シグナリング／制御データ４１４は、設定情報４１６（例えば、エンド・ノード識別情報）と、動作情報４１８（例えば、現在の処理状態、ペンディング応答の状況等）を含みうる。シグナリング／制御モジュール４１２は、シグナリング／制御データ４１４（例えば、アップデートな設定情報４１６および／または動作情報４１８）にアクセスしたり、および／または、シグナリング／制御データ４１４を修正する。
【００７４】
エンド・ノード４００のメモリ４１０はまた、コンパレータ・モジュール４４６、電力調節モジュール４４８、および／または、誤りハンドラ・モジュール４５０を含みうる。図示しないが、コンパレータ・モジュール４４６、電力調節モジュール４４８、および／または、誤りハンドラ・モジュール４５０は、メモリ４１０内に格納されうるものと関連するデータを格納および／または検索しうることが理解されるべきである。コンパレータ・モジュール４４６は、エンド・ノード４００に関連付けられた受信情報を評価し、予期された情報との比較を有効にしうる。
【００７５】
図５は、本明細書に記載の様々な局面にしたがって実現される典型的なアクセス・ノード５００を例示する。典型的なアクセス・ノード５００は、図３に示すアクセス・ノード（例えば、３４０、３４０’、および３４０”）のうちの任意の１つとして利用される装置でありうる。アクセス・ノード５００は、ともにバス５０６によって接続されたプロセッサ５０４、メモリ５１０、ネットワーク／相互ネットワーク・インタフェース５２０、および無線通信インタフェース５３０を含みうる。したがって、アクセス・ノード５００の様々な構成要素は、バス５０６を介して情報、信号、およびデータを交換しうる。アクセス・ノード５００の構成要素５０４、５０６、５１０、５２０、５３０は、ハウジング５０２内に配置されうる。
【００７６】
ネットワーク／相互ネットワーク・インタフェース５２０は、アクセス・ノード５００の内部構成要素が、外部デバイスおよびネットワーク・ノードとの間で信号を送受信するメカニズムを提供する。ネットワーク／相互ネットワーク・インタフェース５２０は、アクセス・ノード５００を（例えば、銅線ケーブルまたは光ファイバ線によって）他のネットワーク・ノードに接続するために使用される受信機モジュール５２２および送信機モジュール５２４を含む。無線通信インタフェース５３０はまた、アクセス・ノード５００の内部構成要素が、外部デバイスおよびネットワーク・ノード（例えば、エンド・ノード）と信号を送受信するメカニズムを提供する。無線通信インタフェース５３０は、例えば、対応する受信アンテナ５３６を備えた受信機モジュール５３２と、対応する送信アンテナ５３８を備えた送信機モジュール５３４とを含む。無線通信インタフェース５３０は、アクセス・ノード５００を（例えば、無線通信チャネルを介して）他のネットワーク・ノードに接続するために使用されうる。
【００７７】
プロセッサ５０４は、メモリ５１０に含まれる様々なモジュール（例えば、ルーチン）の制御下にあり、様々なシグナリングおよび処理を実行するために、アクセス・ノード５００の動作を制御することができる。メモリ５１０に含まれるモジュールは、起動時に、あるいは、メモリ５１０内に存在しうる他のモジュールによって呼び出されると実行される。実行されると、モジュールは、データ、情報、および信号を交換することができる。実行されると、モジュールはまた、データおよび情報を共有することができる。例によれば、アクセス・ノード５００のメモリ５１０は、状態管理モジュール５１２およびシグナリング／制御モジュール５１４を含む。これらモジュールのおのおのに対応して、メモリ５１０はまた、状態管理データ５１３およびシグナリング／制御データ５１５を含む。
【００７８】
状態管理モジュール５１２は、エンド・ノードから、または、状態の格納および検索に関する他のネットワーク・ノードから受信した信号の処理を制御する。状態管理データ５１３は、例えば、状態または状態の一部のようなエンド・ノード関連情報であるか、あるいは、その他幾つかのネットワーク・ノードに格納されているのであれば現在のエンド・ノード状態の場所を含む。状態管理モジュール５１２は、状態管理データ５１３にアクセスしたり、あるいは、状態管理データ５１３を修正することができる。
【００７９】
シグナリング／制御モジュール５１４は、無線通信インタフェース５３０を介してエンド・ノードから／への信号の処理を制御し、例えば、基本的な無線機能、ネットワーク管理等のようなその他の動作のために必要な場合、ネットワーク／相互ネットワーク・インタフェース５２０を介して他のネットワーク・ノードから／への信号の処理を制御する。シグナリング／制御データ５１５は、例えば、基本的な動作のための無線チャネル割り当てに関するエンド・ノード関連データと、例えば、サポート／管理サーバのアドレス、基本的なネットワーク通信のための設定情報のようなその他のネットワーク関連データとを含む。シグナリング／制御モジュール５１４は、シグナリング／制御データ５１５にアクセスしたり、シグナリング／制御データ５１５を修正することができる。
【００８０】
メモリ５１０はさらに、ユニーク識別（ＩＤ）割当モジュール５４０、ＯＮ識別（ＩＤ）割当モジュール５４２、電力コントローラ・モジュール５４４、および／または、無線端末（ＷＴ）ベリファイ・モジュール５４６を含む。ユニークＩＤ割当モジュール５４０、ＯＮ  ＩＤ割当モジュール５４２、電力コントローラ・モジュール５４４、および／またはＷＴベリファイ・モジュール５４６は、メモリ５１０内に関連データを格納し、および／または、メモリ５１０に保持された関連データを検索できることが認識されるべきである。さらに、ユニークＩＤ割当モジュール５４０は、端末識別子（例えば、スクランブリング・マスク）を無線端末へ割り当てる。ＯＮ  ＩＤ割当モジュール５４２は、無線端末がセッションＯＮ状態にある間、ＯＮ識別子を無線端末に割り当てることができる。電力コントローラ・モジュール５４４は、無線端末へ電力制御情報を送信することができる。ＷＴベリファイ・モジュール５４６は、無線端末関連情報を送信ユニット内に含めることを可能にする。
【００８１】
図６は、マルチ・セル・ネットワーク内のセル近傍の典型的な局面の例示を提供する。そのサービス領域６５２によって表されるセルは、近隣セル６５０、６５１、６５３、６５４、６５５、および６５６を有する。これら近隣セルは、セル６５２に隣接している。これらサービス領域は、図３（例えば、３４８、３４８’、および３４８”）と類似している。同様に、セルは、アクセス・ノード６４２、およびその近隣セル６４０、６４１、６４３、６４４、６４５、および６４６によって表されうる。これらは、図３（例えば、３４０、３４０’、３４０”）と類似している。サービス領域６５０内のデバイスまたはユーザ機器（ＵＥ）６６０の場合、ＵＥは、セル６５０がＵＥのためのリソースの主要な提供者であれば、セル６５０によってサービス提供される。現在の発明の局面によれば、おのおののセルは、サブ帯域１乃至Ｎのために、サブ帯域バイナリ値負荷インジケータ・データ（そのセルにおいて使用中の周波数サブ帯域のためのバイナリ・データ・ビット１乃至Ｎ）を（例えば、ＢＣＨチャネルで）ブロードキャストする。それ自身の負荷インジケータ・データに加えて、セルは、その近隣セル・アクティビティのために、バックホール・チャネルによっても、サブ帯域ベースでバイナリ値負荷インジケータ・データを送信するだろう。最低でも、アクセス・ノード６４２は、エンド・ノード６６０、６７０、６７１、６６１を含む全ての近隣セルがどのサブ帯域を使用しているかのみならず、エンド・ノード６６２、６７２のための負荷データを提供する。
【００８２】
これは典型的なモデルである一方、本発明は、このモデルに限定されず、特許請求の範囲で取り込まれるような全ての置き換えをカバーすることに着目されたい。周波数再使用シナリオのように、セルがセクタ化される場合、サブ帯域毎の隣接セクタ負荷判定基準が、送信されるだろう（図示せず）。
【００８３】
図７に示すように、セル間干渉緩和の典型的な局面が示される。セル７５０では、エンド・ノード７７０、７６０は、サブ帯域負荷インジケータ７９０によって表されるようなサブ帯域１、２を使用する。セル７５１でも使用される同じ周波数帯域について、サブ帯域負荷インジケータ７９１は、エンド・ノード７７１がどのサブ帯域を使用しているかを例示している。例示するように、エンド・ノード７６１は、異なる周波数帯域を全て使用している。これによって、７７１、７６０、および７７０のＰＳＤは、それぞれのレベルを維持することができる。なぜなら、粒度が増加することによって、異なるセル内で使用される所与の周波数における周波数サブ帯域のより効率的かつより深い使用が可能となるからである。サブ帯域負荷インジケータは、たとえエンド・ノードが全て同じ周波数帯域にあっても、干渉がなく、リソースのより完全な利用が可能となることを示す。
【００８４】
本明細書に記載された典型的な局面を考慮して、開示された主題にしたがって実現されうる方法論が説明される。簡略化の目的で、これら方法論が一連のブロックとして示され記述される一方、幾つかのブロックは、本明細書で示され説明されたものとは異なる順序で、および／または、他のブロックと同時に生じうるので、特許請求された主題は、これらブロックの数または順序によって制限されないことが理解され認識されるべきである。さらに、それぞれの方法論を実現するために、例示された全てのブロックが必要とされる訳ではない。様々なブロックに関連する機能は、ソフトウェア、ハードウェア、これらの組み合わせ、あるいはその他任意の適切な手段（例えば、デバイス、システム、プロセス、構成要素）によって実現されうることが認識されるべきである。さらに、以下および本明細書全体を通じて開示されている幾つかの方法論は、そのような方法論を様々なデバイスへ伝送することおよび転送することを容易にする製造物品に格納されうることがさらに認識されるべきである。当業者であれば、方法論は、例えば状態図のような一連の相互関連する状態またはイベントとして表されうることを認識および理解するだろう。
【００８５】
図８は、様々な局面にしたがう高レベルな方法論を例示する。８０４において、セル帯域幅は、Ｎ個のサブ帯域（Ｎは整数＞２）に分割される。８０６において、それぞれのサブ帯域は、それぞれのユーザ機器（ＵＥ）に割り当てられる。サブ帯域割当を行うことに関して、様々な割当プロトコルが適用されうることが認識されるべきである。例えば、それぞれのサブ帯域は、特定目的（例えば、データ・タイプ、電力レベル、距離、干渉緩和、負荷平準化等）のために指定され、ＵＥは、それぞれその類似性に応じてサブ帯域に割り当てられうる。他の例では、割り当てに関連して最適化スキームが適用されうる。同様に、（例えば、環境的な要因、属性、ＱｏＳ、カスタマ属性、カスタマ・ランキング、履歴情報のような）付帯情報が適用されうる。別の例では、割り当ては、セルまたは複数のセルにわたった負荷平準の機能でありうる。
【００８６】
この方法論の実施形態は、本明細書に記載の様々な局面（例えば、通信リソースの変更、リソース、付帯情報、ユーザ／ＵＥ状態、設定、サブ帯域割り当て、電力レベル設定）の自動的な実行を容易にするために人工知能を適用することができる。さらに、所与の時間および状態において実行される推論を意図した動作を容易にするために、推論ベースのスキームが適用されうる。本発明のＡＩベースの局面は、適切な任意の機械学習ベース技術、および／または、統計ベース技術、および／または、確率ベース技術によって有効とされうる。例えば、エキスパート・システム、ファジー論理、サポート・ベクトル機械（ＳＶＭ）、Ｈｉｄｄｅｎ  Ｍａｒｋｏｖモデル（ＨＭＭ）、グリーディ探索アルゴリズム、ルール・ベース・システム、Ｂａｙｅｓｉａｎモデル（例えば、Ｂａｙｅｓｉａｎネットワーク）、ニューラル・ネットワーク、その他の非線形学習技術、データ融合、ユーティリティ・ベース分析システム、Ｂａｙｅｓｉａｎモデルを適用したシステム等が考慮される。
【００８７】
８０８において、サブ帯域割り当てが追跡される。８１０において、サブ帯域割り当てが、（例えば、近隣セルにおける基地局またはＵＥにサブ帯域割当を知らせるために、）近隣セルにブロードキャストされる。８１２では、近隣セルのサブ帯域割当がモニタされる。８１４では、そのようなモニタに応じて、サブ帯域割当に関してコンフリクトがあると判定された場合、８１６において、例えば、コンフリクトによるセル間干渉を緩和することに関連して電力を低減するために、特定のＵＥに制御情報が送られる。コンフリクトが存在しない場合、８１８において、ＵＥは電力レベルを維持する。
【００８８】
前記説明から、帯域幅をそれぞれのサブ帯域に細分割することによって、従来式のスキームと比べて、ＵＥ電力レベルのより細かな調節が達成されうることが容易に理解されうる。その結果、セル間干渉緩和のみならず、システム全体のリソース利用もまた促進される。
【００８９】
図９は、様々な局面にしたがう高レベルな方法論を例示する。９０４において、サブ帯域割当が、ユーザ機器によって受信される。９０６において、ＵＥのそれぞれの能力／機能に関する判定または識別がなされる。ＵＥが、ある能力／機能を有していないと認められた場合、９０８において、ＵＥは単に、サブ帯域割当に関連する基地局からのコマンドをリスンする。しかしながら、ＵＥが、本明細書に記載の局面に関連するある能力または機能を有している場合、９１０において、ＵＥは、コンフリクトしているサブ帯域負荷インジケータ・データを求めて近隣セルを調べる。９１２において、それぞれのサブ帯域負荷インジケータ・データに応じて、コンフリクトが存在するか否かに関する判定がなされる。コンフリクトが存在する場合、ＵＥは、ＵＥが引き起こしうる干渉を緩和するために電力レベルを下げる。コンフリクトが存在しないと判定された場合、９１４において、ＵＥは電力レベルを維持する。
【００９０】
図１０は、様々な局面にしたがう管理方法のための典型的なロジックを強調している。この管理方法１０００は、同期直交システムおよび非同期直交システムの両方をロバストに取り扱うＵＥベースのセル間干渉緩和システム向けである。１００４では、所与のサービス提供セルにおけるおのおののＵＥについて、ＵＥは、サービス提供セルが同期モードで動作しているか、あるいは非同期モードで動作しているかを示すサービス提供セル・タイプ・メッセージを受信する。１００６では、ＵＥは、サービス提供セルが同期しているか非同期であるかを判定するか、あるいは通知される。セルが同期している場合、処理は１０１８に進み、ＵＥは、バイナリのサブ帯域負荷データを求めて、サービス提供セルまたは近隣セルを調べる。１００６では、セルが非同期である場合、処理は１０１２に進み、ＵＥの機能が評価される。ＵＥが、高度な機能を有しているものと認められた場合、処理は１０１８に移る。ＵＥが基本機能を有しているものと認められた場合、処理は１０１６に進み、ＵＥは、バックホールされたバイナリ・サブ帯域データを求めてサービス提供セルを調べる。ブロック１０１８は、様々な利点（例えば、より高速な近隣セル検出、近隣セルから直接取得される近隣セル負荷データ）を示す。それほど高度ではないＵＥの場合、経路１０１６が、ＵＥのサービス提供セルから送信され、バックホール・チャネルを介して取得された新たなバイナリ・サブ帯域負荷データを提供する。何れの経路でも、サブ帯域毎のバイナリ負荷データが取得され、その後、１０１２における比較がなされる。
【００９１】
この時点では、図７に示すようなより細かな粒度が、与えられた帯域幅のうちの異なるサブ帯域においてより多くのＵＥが動作するための余裕が増加し、ステップ１０２２またはステップ１０２４を採用せよとの制御命令をＵＥに与える。
【００９２】
図１１と、さほどロバストではない従来の代替例を示す図１２とが対比される。図１１では、ＵＥは、起動されると（１０１２）、サービス提供セル・タイプ・メッセージを受信し（１０１４）、サービス提供セル・タイプが、ＵＥの次のステップ１１１８を命じる。ここでは、近隣セルのデータの帯域幅全体が近隣セルから直接的および迅速に取得され、サービス提供セルからの負荷データと比較される（１１２０）。ＵＥに対するさほど効率的ではない命令（例えば、一致する帯域内の干渉しない別のサブ帯域を用いたＵＥが、実際にはない干渉を引き起こすものと示される）が指示され、１１１２または１１２４の何れかが採用されよう。
【００９３】
図１２では、ＵＥは、起動されると（１２０２）、サービス提供セル・タイプ・メッセージを受信する（１２０４）。これは、ステップ１２１６を命じる。ここで、サービス提供セルによって提供されたようなより遅いバックホール・チャネルからの帯域幅の全体が取得され、サービス提供セル内のＵＥ帯域幅と比較される（１２２０）。ＵＥに対するさほど効率的ではない命令（例えば、一致する帯域内の干渉しない別のサブ帯域を用いたＵＥが、実際にはない干渉を引き起こすものと示される）が指示され、１２２２または１２２４の何れかが採用されよう。ＵＥ機能は無視される。図１１および図１２に示されるようなシステムもまた、サービス提供セル・システムが経路を指示するので、効率的ではないＵＥベースである。
【００９４】
図１３は、セル間干渉の緩和を容易にするシステム１３００を例示する。構成要素１３０２は、セル帯域幅をＮ個のサブ帯域（Ｎは整数＞２）に分割する。構成要素１３０４は、それぞれのサブ帯域を、それぞれのユーザ機器（ＵＥ）に割り当てる。サブ帯域割当を行うことに関して、様々な割当プロトコルが適用されうることが認識されるべきである。例えば、それぞれのサブ帯域は、特定の目的（例えば、データ・タイプ、電力レベル、距離、干渉緩和、負荷平準等）のために指定され、ＵＥは、その類似性に応じて、サブ帯域にそれぞれ割り当てられうる。別の例では、割当に関して（例えば、人工知能を適用した）最適化スキームが適用されうる。同様に、（例えば、環境要因、属性、ＱｏＳ、カスタマ属性、カスタマ・ランキング、履歴情報のような）付帯情報が適用されうる。他の例では、割り当ては、セルまたは複数のセルにわたった負荷平準の機能でありうる。
【００９５】
構成要素１３０８は、サブ帯域割当を追跡し、構成要素１３１０は、（例えば、近隣セルの基地局またはＵＥに、サブ帯域割当を知らせるために、）サブ帯域割当を近隣セルへブロードキャストする。構成要素１３１２は、近隣セルのサブ帯域割当をモニタする。構成要素１３１４は、そのようなモニタによって、コンフリクトが存在するかを判定し、サブ帯域割当に関してコンフリクトが存在すると判定されると、構成要素１３１６は、例えばこのコンフリクトによるセル間干渉を緩和することに関し、電力を低減するように特定のＵＥへ制御情報を送る。コンフリクトが存在しない場合、構成要素１３１８は、電力レベルを維持するようにＵＥに制御情報を送る。
【００９６】
図１４は、様々な局面にしたがう高レベルな方法論を例示する。１４０４では、セル帯域幅が複数のサブ帯域に分割される。１４０６では、サブ帯域レベル毎に観察された負荷に対応する負荷判定基準が隣接セルに提供される。１４０８では、サブ帯域判定基準が、サービス提供されたＵＥへブロードキャストされる。１４１０では、サービス提供セルが、隣接セルから、サブ帯域負荷判定基準を受信する。この情報を用いて、１４１２では、サービス提供セルが、サービス提供されたＵＥのためのサブ帯域割当が隣接セルに負荷されているかを判定する。１４１４では、割り当てられたサブ帯域について負荷された隣接セルが存在すると判定されると、コンフリクトしたＵＥに関して、電力スペクトル密度を低減するために、特定のＵＥに対して制御情報が送られる。コンフリクトが存在しない場合、１４１６において、ＵＥは、電力スペクトル密度レベルを維持する。
【００９７】
図１５は、様々な局面にしたがう高レベルな方法論を例示する。１５０４では、サブ帯域毎の隣接セル負荷判定基準が、ユーザ機器によって受信される。１５０６では、負荷判定基準情報のソースに関する判定がなされる。負荷判定基準情報が、サービス提供セルから受信された場合（１５０８）、ＵＥは、割り当てられた送信電力スペクトル密度を維持する（１５１４）。負荷判定基準のソースが直接的に隣接セルである場合（１５１０）、負荷判定基準は１５１２において評価され、割り当てられたサブ帯域が負荷されているか否かに関する判定がなされる。割り当てられたサブ帯域が負荷されているかに関する判定は、予め定めたしきい値を超えて上昇するサブ帯域のための負荷要因に基づきうる。割り当てられたサブ帯域が負荷されていない場合、１５１４において、送信電力スペクトル密度が維持される。負荷判定基準が、割り当てられ負荷されたサブ帯域が隣接セルであることを示すのであれば、ＵＥは、その割り当てられた送信電力スペクトル密度を低減する（１５１６）。
【００９８】
図１６は、セル間干渉を緩和することを容易にするシステム１６００を例示する。構成要素１６０２は、セル帯域幅を複数のサブ帯域に分割する。構成要素１６０４は、サブ帯域毎に観察された負荷に対応する負荷判定基準を与える。構成要素１６０６は、サブ帯域負荷判定基準を近隣セルにブロードキャストし、構成要素１６０８は、サブ帯域負荷判定基準を、サービス提供されたＵＥへブロードキャストする。構成要素１６１０は、隣接セルから、サブ帯域負荷判定基準を受信する。構成要素１６１２は、サービス提供されたＵＥのサブ帯域割当が、隣接セルに負荷されているかを判定する。１６１４は、サービス提供されたＵＥのサブ帯域割当が、隣接セルに負荷された場合に、そのＵＥの電力スペクトル密度を低減するための構成要素であり、１６１６は、ＵＥ電力スペクトル密度を維持するための構成要素であり、サービス提供されたＵＥのサブ帯域割当が、隣接セルに負荷されていない場合に使用される。１６１８は、データ・ストアとして役立つ。
【００９９】
図１７は、ＵＥベースの通信システム１７００を例示する。１７０２は、隣接セルからサブ帯域負荷判定基準情報を受信する構成要素である。１７０４は、（例えば、隣接セルから直接的に、バックホール・チャネルを介してサービス提供セルから、）隣接サブ帯域負荷判定基準のソースを判定するための構成要素である。１７０６は、サブ帯域負荷判定基準の負荷された状態または負荷されていない状態を判定するための構成要素である。構成要素１７０８は、割り当てられたサブ帯域が隣接セル内に負荷されていると判定されたＵＥに割り当てられた送信電力スペクトル密度を低減するための構成要素である。構成要素１７１０は、割り当てられた送信スペクトル密度を維持する。１７１２は、データ・ストアとして役立つ。
【０１００】
帯域幅をそれぞれのサブ帯域に細分割することによって、従来のスキームと比べて、ＵＥ電力レベルのより細かな調整が達成されうることが、前述した説明から容易に認識されうる。その結果、セル間干渉緩和のみならず、システム・リソースの全体的な利用が容易とされる。
【０１０１】
ソフトウェアによる実現の場合、本明細書に記載の技術は、本明細書に記載の機能を実行するモジュール（例えば、手順、関数等）を用いて実現されうる。ソフトウェア・コードは、メモリ・ユニット内に格納され、プロセッサによって実行されうる。このメモリ・ユニットは、プロセッサの内部またはプロセッサの外部に実装される。プロセッサの外部に実装される場合、当該技術において周知である様々な方法によってプロセッサに通信可能に接続されうる。
【０１０２】
上述したものは、１または複数の実施形態の例を含んでいる。もちろん、前述した実施形態を説明する目的のための構成要素または方法論の考えられる全ての組み合わせを記述することは不可能であるが、当業者であれば、様々な実施形態のさらなる組み合わせおよび置き換えが可能であることを認識することができる。したがって、記載された実施形態は、添付された特許請求の範囲の精神およびスコープ内にあるそのような全ての変更、修正、および変形を含むことが意図されている。さらに、用語「含む」（"includes"）が、詳細な説明または特許請求の範囲の何れかで使用されている限り、そのような用語は、用語「備える」（"comprising"）が請求項において遷移語として適用されている場合に解釈されるように、用語「備える」と同様に包括的であることが意図される。
【図１】
2010509866.tif 000003
【図２】
2010509866.tif 000004
【図３】
2010509866.tif 000005
【図４】
2010509866.tif 000006
【図５】
2010509866.tif 000007
【図６】
2010509866.tif 000008
【図７】
2010509866.tif 000009
【図８】
2010509866.tif 000010
【図９】
2010509866.tif 000011
【図１０】
2010509866.tif 000012
【図１１】
2010509866.tif 000013
【図１２】
2010509866.tif 000014
【図１３】
2010509866.tif 000015
【図１４】
2010509866.tif 000016
【図１５】
2010509866.tif 000017
【図１６】
2010509866.tif 000018
【図１７】
2010509866.tif 000019
【手続補正書】
【提出日】平成21年8月26日(2009.8.26)
【手続補正１】
【補正対象書類名】明細書
【補正対象項目名】全文
【補正方法】変更
【補正の内容】
【発明の詳細な説明】
【関連出願に対する相互参照】
【０００１】
本願は、２００６年１１月６日に出願され、"UPLINK INTER-CELL INTERFERENCE MANAGEMENT"と題された米国仮特許出願６０／８６４，５７６号の利益を主張する。前記出願の全体は、参照によって本明細書に組み込まれる。
【技術分野】
【０００２】
以下の記載は、一般に、無線通信に関し、特に、無線通信システムにおけるセル間干渉管理に関する。
【背景技術】
【０００３】
（例えば、周波数分割技術、時分割技術、および符号分割技術のような）典型的な無線通信ネットワークは、有効範囲領域を提供する１または複数の基地局と、有効範囲領域内でデータを送信および受信することができる１または複数のモバイル（例えば無線）端末とを含む。典型的な基地局は、サービスをブロードキャスト、マルチキャスト、および／またはユニキャストするために、複数のデータ・ストリームを同時に送信することができる。ここで、データ・ストリームは、モバイル端末に興味のある独立した受信からなるデータのストリームである。基地局の有効範囲領域内のモバイル端末は、合成ストリームによって搬送されるデータ・ストリームのうちの１つ、複数、あるいは全てを受信することに興味を持つ。同様に、モバイル端末は、基地局、他の局、あるいは他のモバイル端末へデータを送信することができる。おのおのの端末は、順方向リンクおよび逆方向リンクでの送信を介して１または複数の局と通信する。順方向リンク（すなわちダウンリンク）は、基地局から端末への通信リンクを称し、逆方向リンク（すなわちアップリンク）は、端末から基地局への通信リンクを称する。この通信リンクは、単数入力単数出力システム、複数入力単数出力システム、あるいは複数入力複数出力（ＭＩＭＯ）システムによって確立されうる。
【０００４】
モバイル通信ネットワーク（例えば、セル電話ネットワーク）内で情報を送信するために利用される従来技術は、周波数、時間、および符号分割ベースの技術を含んでいる。一般に、周波数分割ベースの技術では、呼出は、それぞれの呼出が個別の周波数でなされる周波数接続方式に基づいて分割される。時分割ベースの技術では、それぞれの呼出は、指定された周波数におけるある時間部分に割り当てられる。符号分割ベースの技術では、それぞれの呼出は、ユニークな符号に関連付けられ、利用可能な周波数にわたって拡散される。それぞれの技術は、１または複数のユーザによる多元接続を提供することができる。
【０００５】
時分割ベースの技術では、帯域は、連続する時間スライスまたは時間スロットへ分割される。チャネルのおのおののユーザには、ラウンド・ロビン方式で情報を送信および受信するための時間スライスが提供される。例えば、所定の時間ｔにおいて、ユーザは、短いバーストのために、チャネルへの接続が提供される。その後、接続は、情報を送信および受信するための時間の短いバーストが提供された別のユーザへ切り換わる。この「交代」サイクルは継続し、最終的には、おのおののユーザに、複数の送信バーストおよび受信バーストが提供される。
【０００６】
符号分割ベースの技術は、一般には、範囲内の任意の時間において利用可能な多くの周波数によってデータを送信する。一般に、データはデジタル化され、利用可能な帯域幅にわたって広げられる。そこでは、多くのユーザが、チャネル上にオーバレイされ、それぞれのユーザは、ユニークなシーケンス符号が割り当てられる。ユーザは、スペクトルの同じ広帯域チャンクで送信することができる。そこでは、おのおののユーザの信号は、それぞれのユニークな拡散符号によって帯域幅全体にわたって広げられる。この技術は、１または複数のユーザが、同時に送信および受信することができる共有を提供することができる。そのような共有は、ユーザのビット・ストリームが符号化され準ランダム方式で非常に広いチャネルにわたって広げられる拡散スペクトル・デジタル変調によって達成されうる。受信機は、特定のユーザのビットをコヒーレントな方式で収集するために、関連するユニークなシーケンス符号を認識し、無作為化を元に戻すように設計されうる。
【０００７】
さらに詳しくは、周波数分割ベースの技術は一般に、スペクトルを一様な帯域幅チャンクへ分割することによって別個のチャネルへ分割する。例えば、無線セルラ電話通信のために割り当てられる周波数帯域の部分が、３０チャネルへ分割され、それらおのおのが、音声会話を伝送することができるか、あるいはデジタル・サービスを用いてデジタル・データを伝送することができる。おのおののチャネルは、一度に、１つのユーザのみに割り当てられうる。
【０００８】
１つの一般的に利用される変形は、システム帯域幅全体を、複数の直交サブ帯域に効率的に区分する直交周波数分割技術である。直交は、サブ・チャネル間のクロス・トークが除去され、キャリア間のガード帯域が必要とされない周波数が選択されることを意味する。これらのサブ帯域はまた、トーン、キャリア、サブ・キャリア、値域（ｂｉｎ）、および周波数チャネルとも称される。おのおののサブ・キャリアは、低シンボル・レートで、（例えば、直交振幅変調のような）従来の変調スキームを用いて変調される。直交周波数分割は、複雑な等値化フィルタを用いることなく、−例えば、長い銅線における高い周波数の減衰、マルチパスによる狭帯域干渉および周波数選択フェージングのような厳しいチャネル条件に対処するための有利な機能を有している。低いシンボル・レートによって、シンボル間のガード間隔を利用できるようにして、時間広がりを取り扱い、シンボル間干渉（ＩＳＩ）を除去することを可能にする。
【０００９】
直交化はまた、ナイキスト・レートに近い高いスペクトル効率を可能にする。利用可能な周波数帯域のほとんど全てが利用されうる。ＯＦＤＭは一般に、ほとんど「ホワイト」なスペクトルを有しており、他の同一チャネル・ユーザに関する良性な電磁気干渉特性を与え、単一のセルが１つと考慮される場合に、より高い送信電力を可能にする。また、内部のキャリア・ガード帯域がないと、送信機と受信機との両方の設計は従来のＦＤＭとは異なり、大いに簡素化され、おのおののサブ・チャネルのための個別のフィルタは必要とされない。
【００１０】
直交化は、しばしば、周波数再使用とペアにされ、遠く離れて位置するセルにおいてなされる通信が、スペクトルの同じ部分を使用し、理想的には、この大きな距離が、干渉を回避する。近くのセルにおいてなされるセル通信は、干渉の可能性を最小化するために、異なるチャネルを使用する。セルの大きな形状にわたって、遠く離れたセルのみが同じスペクトルを再使用することができるようにパターン全体にわたって共通のチャネルを分布させることによって、可能な限り多くの周波数スペクトルが再使用される。そのような場合、かつ、異なるユーザに帯域幅を割り当てるためのスケジューラ・フレキシビリティが導入される場合、セル間の干渉制御が重要となる。
【００１１】
ＯＦＤＭでは、セル内干渉はわずかしか含まれない。より高いシステム効率への障害は、セル間干渉となる。セル間干渉の管理を改善し、同時に、様々なセル多様化（例えば、同期および非同期）を取り扱うために十分ロバストであり、様々なユーザ・デバイスまたはエンド・ノード（例えば、廉価で基本的な用途のみならず、課された高価な機能）をサポートするために、無線通信領域における考慮を必要とする。
【発明の概要】
【００１２】
以下は、開示された実施形態の幾つかの局面の基本的な理解を与えるために、簡略化された概要を表す。この概要は、広範な概観ではなく、重要な要素または決定的な要素を特定するものでも、そのような実施形態の範囲を線引きするものでもないことが意図される。その目的は、説明される実施形態の幾つかの概念を、後に表されるより多くの詳細記載に対する前置きとして、より簡単な形式で表すことである。
【００１３】
局面では、セル間干渉を緩和するための方法は、通信帯域幅を複数のサブ帯域に分割し、かつ、サブ帯域毎に負荷インジケータを適用することによって、粒度および増加された効率を得る。サブ帯域毎の負荷情報は、バイナリ負荷インジケータ・データとして提供され、サービス提供セルのため、および、近隣セルへのブロードキャストのために提供される。ユーザ機器（ＵＥ）は、サービス提供セルと非サービス提供近隣セルとの両方に対する、サブ帯域毎ベースの負荷インジケータ・データへのアクセスを有する。これは、帯域幅のより完全な利用を可能にする粒度のレベルを提供し、より多くのＵＥが、所与の帯域幅内での負荷で動作することができる。
【００１４】
別の局面では、セル間干渉を管理し、ＵＥベースの負荷管理によってセル間干渉を低減する方法が開示される。この方法は、同期または非同期で動作する複数のセルをロバストに取り扱い、個々のＵＥ機能が、セル間干渉の低減を最適化する要因となることができる。ＵＥが起動すると、ＵＥは一般に、サービス提供セル・アクセス・ノードから、サービス提供セル動作のタイプ（例えば、同期または非同期）を示すメッセージを受信する。この動作のタイプは、ＵＥに対して、セル間干渉を低減する１つの方法または別の方法に従わせる。現在の方法によって、ＵＥは、サービス提供セルの動作モードに依存しないセル間干渉低減のための最良の方法を探索することが可能となる。１つの限定しない例において、ＵＥは、非同期セルにおいて動作しうるが、近隣セルの負荷データに直接的にアクセスする機能を持つことができる。この場合、ＵＥは、サービス提供セルのバックホール・チャネルを介して到来するサブ帯域毎の近隣セル・バイナリ負荷情報を待つのではなく、サブ帯域毎のより高速な直接近隣セル・バイナリ負荷情報に基づいて、送信電力スペクトル密度を低減または維持するように動作しうる。
【００１５】
局面では、セル間干渉を緩和する方法は、通信帯域幅を複数のサブ帯域に分割し、かつ、サブ帯域毎の観察された負荷に対応する負荷判定基準を提供することによって、粒度と、増加した効率とを得る。負荷判定基準は、ユーザ機器（ＵＥ）のため、および、近隣セルへのブロードキャストのために提供されうる。サービス提供セルはまた、バックホール・チャネルを介して隣接セルから、サブ帯域毎の負荷判定基準を受信し、それをＵＥへ提供する。ユーザ機器はまた、隣接セルから直接的にサブ帯域毎ベースで、負荷判定基準のアクセスを得ることができる。
【００１６】
別の局面では、ＵＥベースの通信システムのための方法が開示される。ＵＥは、サブ帯域ベースで、隣接セル負荷判定基準情報を受信する。ＵＥは、負荷判定基準情報のソースを決定する。この情報が、隣接セルから直接的に得られる場合（例えば、バックホールによる情報フローが利用可能ではない場合）、ＵＥは、割り当てられたサブ帯域が、隣接セルの判定基準に負荷されているのかを判定し、もしもそうであれば、その送信電力スペクトル密度を低減しうる。判定基準が、無負荷状態を示す場合、ＵＥは、割り当てられたサブ帯域送信電力スペクトル密度を維持する。負荷判定基準情報のソースが隣接セルではない場合、ＵＥは、サービス提供セルによって指示されたように、割り当てられた送信電力スペクトル密度を維持する。
【００１７】
局面では、セル間干渉緩和を促進する方法は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとを備える。
【００１８】
別の局面では、コンピュータ読取可能記憶媒体は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとを備える動作を実行するためのコンピュータ読取可能命令を格納している。
【００１９】
また別の局面では、装置は、ＮがＮ＞２の整数である場合、セル帯域幅をＮ個のサブ帯域に分割することと、それぞれのサブ帯域をそれぞれのユーザ機器（ＵＥ）に割り当てることと、サブ帯域割当を追跡することと、サブ帯域割当を近隣セルにブロードキャストすることとからなる動作を実行するためのコンピュータ実行可能命令を備える記憶媒体を備える。プロセッサは、このコンピュータ実行可能命令を実行する。
【００２０】
局面では、セル間干渉緩和を容易にするシステムは、ＮがＮ＞２の整数である場合、セル帯域幅をＮ個のサブ帯域に分割する手段と、それぞれのサブ帯域をそれぞれのユーザ機器（ＵＥ）に割り当てる手段と、サブ帯域割当を追跡する手段と、サブ帯域割当を近隣セルにブロードキャストする手段とを備える。
【００２１】
別の局面では、セル間干渉緩和を容易にする方法は、割り当てられたサブ帯域を受信し、ユーザ機器（ＵＥ）の機能を特定し、ＵＥが機能しきい値を満足するのであれば、コンフリクトしているサブ帯域負荷インジケータ・データを求めて近隣セルを調べ、コンフリクトが存在すれば、ＵＥ電力を低減し、コンフリクトが存在していなければ、ＵＥ電力を維持することを備える。
【００２２】
別の局面では、コンピュータ読取可能記憶媒体は、割り当てられたサブ帯域を受信することと、ユーザ機器（ＵＥ）の機能を特定することと、ＵＥが機能しきい値を満足するのであれば、コンフリクトしているサブ帯域負荷インジケータ・データを求めて近隣セルを調べることと、コンフリクトが存在すれば、ＵＥ電力を低減することと、コンフリクトが存在しなければ、ＵＥ電力を維持することとを備える動作を実行するためのコンピュータ読取可能命令群を格納している。
【００２３】
また別の局面では、装置は、割り当てられたサブ帯域を受信することと、ユーザ機器（ＵＥ）の機能を特定することと、ＵＥが機能しきい値を満足するのであれば、コンフリクトしているサブ帯域負荷インジケータ・データを求めて近隣セルを調べることと、コンフリクトが存在すれば、ＵＥ電力を低減することと、コンフリクトが存在しなければ、ＵＥ電力を維持することとからなる動作を実行するためのコンピュータ実行可能命令群を備える記憶媒体を備える。プロセッサは、このコンピュータ実行可能命令群を実行する。
【００２４】
前述した目的および関連する目的を達成するために、１または複数の実施形態が、以下に完全に記載され、特に、特許請求の範囲において指摘された特徴を備えている。以下の説明および添付図面は、ある例示的な局面を詳細に示しており、実施形態の原理が適用される様々な方法のうちのほんのわずかを示しているに過ぎない。以下の詳細説明が図面とともに検討された場合、その他の利点および新規の特徴が以下の詳細説明から明らかになり、開示された実施形態は、そのような全ての局面およびそれらの等価物を含むことが意図される。
【００２５】
局面では、セル間干渉緩和を容易にする方法は、セル帯域幅を複数のサブ帯域に分割することと、サブ帯域毎の観察された負荷に対応する負荷判定基準を近隣セルに提供することとを備える。負荷判定基準はまた、ＵＥへとブロードキャストされうる。
【００２６】
別の局面では、コンピュータ読取可能記憶媒体は、セル帯域幅を複数のサブ帯域に分割することと、サブ帯域毎の観察された負荷に対応する負荷判定基準を近隣セルに提供することとを備える動作を実行するためのコンピュータ読取可能命令群を格納している。このコンピュータ読取可能記憶媒体は、負荷判定基準をブロードキャストするためのコンピュータ読取可能命令群を格納している。
【００２７】
局面では、プロセッサは、セル帯域幅を複数のサブ帯域に分割することと、サブ帯域毎の観察された負荷に対応する負荷判定基準を近隣セルに提供することとを備える動作を実行するためのコードを実行する。このプロセッサは、負荷判定基準をブロードキャストするためのコードを実行する。
【００２８】
また別の局面では、装置は、セル帯域幅を複数のサブ帯域に分割することと、サブ帯域毎に観察された負荷に対応する負荷判定基準を近隣セルに提供することとからなる動作を実行するためのコンピュータ実行可能命令群を備える記憶媒体を備える。サブ帯域毎の負荷判定基準をＵＥにブロードキャストするためのコンピュータ実行可能命令群が、記憶媒体上に構成されうる。プロセッサは、コンピュータ実行可能命令群を実行する。
【００２９】
また別の局面では、セル間干渉緩和を容易にするシステムは、セル帯域幅を複数のサブ帯域に分割する手段と、サブ帯域毎に負荷判定基準をブロードキャストする手段のみならず、サブ帯域毎に観察された負荷に対応する負荷判定基準を近隣セルに提供する手段とを備える。
【００３０】
局面では、セル間干渉緩和を容易にするＵＥベースの通信システムのための方法は、サブ帯域毎に隣接セル負荷判定基準を受信することと、サブ帯域毎の隣接セル負荷判定基準が、サービス提供セルから受信されたか、あるいは隣接セルから受信されたかを判定することと、割り当てられたサブ帯域が隣接セル内に負荷されているかを判定することとを備える。隣接セルが負荷判定基準を提供し、この負荷判定基準が、割り当てられたサブ帯域が負荷されていることを示すのであれば、割り当てられた送信電力スペクトル密度が低減される。割り当てられたサブ帯域が負荷されていないか、あるいは、隣接セル負荷判定基準のソースがサービス提供セルであれば、割り当てられた送信電力スペクトル密度が維持される。
【００３１】
また別の局面では、コンピュータ読取可能記憶媒体は、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとを備える動作を実行するためのコンピュータ読取可能命令群を格納している。
【００３２】
局面では、プロセッサは、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとを備える動作を行うコードを実行する。
【００３３】
さらに別の局面では、装置は、サブ帯域毎に隣接セル負荷判定基準を受信することと、サブ帯域毎の隣接セル負荷判定基準が、サービス提供セルから受信されたか、隣接セルから受信されたかを判定し、割り当てられたサブ帯域が隣接セル内に負荷されたかを判定することと、隣接セルが負荷判定基準を提供し、かつ、この負荷判定基準が、割り当てられたサブ帯域が負荷されていることを示すのであれば、割り当てられた送信電力スペクトル密度を低減することと、割り当てられたサブ帯域が負荷されていないか、あるいは、隣接セル負荷判定基準のソースがサービス提供セルであれば、割り当てられた送信電力スペクトル密度を維持することとの各動作を実行するためのコンピュータ実行可能命令群を備える記憶媒体を備える。プロセッサは、コンピュータ実行可能命令群を実行する。
【００３４】
別の局面では、ＵＥベースの通信システムのためのシステムは、サブ帯域毎に隣接セル負荷判定基準を受信する手段と、サブ帯域毎の隣接セル負荷判定基準が、サービス提供セルから受信されたか、隣接セルから受信されたかを判定する手段と、割り当てられたサブ帯域が隣接セル内に負荷されたかを判定する手段と、隣接セルが負荷判定基準を提供し、かつ、この負荷判定基準が、割り当てられたサブ帯域が負荷されていることを示すのであれば、割り当てられた送信電力スペクトル密度を低減する手段と、割り当てられたサブ帯域が負荷されていないか、あるいは、隣接セル負荷判定基準のソースがサービス提供セルであれば、割り当てられた送信電力スペクトル密度を維持する手段とを備える。
【００３５】
前述した目的および関連する目的を達成するために、１または複数の実施形態は、以下に十分説明され、特に特許請求の範囲において指摘された特徴を備える。以下の説明および添付図面は、ある例示的な局面を詳細に示しており、実施形態の原理が適用される様々な方法のうちのほんのわずかを示しているに過ぎない。以下の詳細説明が図面とともに検討された場合、その他の利点および新規の特徴が以下の詳細説明から明らかになり、開示された実施形態は、そのような全ての局面およびそれらの等価物を含むことが意図される。
【図面の簡単な説明】
【００３６】
【図１】図１は、本明細書で述べられた様々な局面にしたがう無線通信システムの例示である。
【図２】図２は、サブ帯域バイナリ負荷インジケータおよび帯域幅バイナリ負荷インジケータの典型的な例である。
【図３】図３は、様々な局面にしたがって実現される典型的な通信システム（例えば、セルラ通信ネットワーク）の例である。
【図４】図４は、様々な局面にしたがった典型的なエンド・ノード（例えば、モバイル・ノード）の例である。
【図５】図５は、本明細書に記載された様々な局面にしたがって実現される典型的なアクセス・ノードの例である。
【図６】図６は、セルおよびその近隣を示す典型的なマルチ・セル・システムの例である。
【図７】図７は、アプリケーション制御を示すセル間干渉の典型的な局面の例である。
【図８】図８は、セル間干渉を緩和することに関連する局面を例示するフロー図である。
【図９】図９は、セル間干渉を緩和することに関連する局面を例示するフロー図である。
【図１０】図１０は、様々な局面にしたがって、同期直交システムおよび非同期直交システムにおけるＵＥベースのセル間干渉緩和のための典型的なロジック・フロー図である。
【図１１】図１１は、同期直交システムにおけるＵＥベースのセル間干渉緩和のための典型的なロジック・フロー図である。
【図１２】図１２は、非同期直交システムにけるＵＥベースのセル間干渉緩和のための典型的なロジック・フロー図である。
【図１３】図１３は、セル間干渉の緩和を容易にするシステムを例示するシステム図である。
【図１４】図１４は、セル間干渉を緩和することに関連する局面を例示するフロー図である。
【図１５】図１５は、様々な局面にしたがうＵＥベースの通信システムのための典型的なロジック・フロー図である。
【図１６】図１６は、セル間干渉を緩和することを容易にするシステムを例示するシステム図である。
【図１７】図１７は、様々な局面にしたがうＵＥベースの通信システムのためのシステムを例示するシステム図である。
【発明を実施するための形態】
【００３７】
様々な実施形態が、同一参照符号が全体を通じて同一要素を示すために使用される図面を参照して説明される。以下の説明では、１または複数の局面の完全な理解を提供するために、説明の目的で、多くの具体的な詳細が説明される。しかしながら、そのような実施形態は、これら具体的な詳細なしで実現されうることが明白でありうる。他の例では、周知の構成およびデバイスが、１または複数の実施形態を説明することを容易にするために、ブロック図形式で示される。本願で使用されるように、用語「構成要素」、「モジュール」、「システム」等は、ハードウェア、ファームウェア、ハードウェアとソフトウェアの組み合わせ、ソフトウェア、実行中ソフトウェアのうちの何れかであるコンピュータ関連エンティティを称することが意図されている。例えば、構成要素は、限定される訳ではないが、プロセッサ上で動作するプロセス、プロセッサ、集積回路、オブジェクト、実行形式、実行スレッド、プログラム、および／またはコンピュータでありうる。例によれば、コンピュータ・デバイス上で動作するアプリケーションと、コンピュータ・デバイスとの両方が構成要素になりうる。１または複数の構成要素は、実行スレッドおよび／またはプロセス内に存在することができる。そして、構成要素は、１つのコンピュータに局在することも、および／または、２またはそれ以上のコンピュータに分散されることもできる。また、これらの構成要素は、格納された様々なデータ構成を有する様々なコンピュータ読取可能媒体から実行することができる。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００３８】
様々な実施形態が、多くのデバイス、構成要素、モジュール等を含みうるシステムの観点から示されるだろう。様々なシステムが、追加のデバイス、構成要素、モジュール等を含んでおり、および／または、図面と関連して説明するようなデバイス、構成要素、モジュール等のうちの必ずしも全てを含む訳ではないことが理解され認識されるべきである。これらのアプローチの組み合わせもまた使用可能である。
【００３９】
「典型的な」という用語は、本明細書において、「例、事例、または例示として役立つ」ことを意味するために使用される。本明細書で「典型的な」と説明される実施形態または設計は、その他の実施形態または設計に対して必ずしも好適であるとか有利であると解釈される必要はない。「リスンすること」（"listening"）という用語は、本明細書において、受信デバイス（アクセス・ポイントまたはアクセス端末）が、所与のチャネルでデータを受信し、そのデータを処理することを意味する。
【００４０】
通信リソースを移行させることに関し、様々な局面が、推論スキームおよび／または推論技術を組み込むことができる。本明細書で使用されるように、用語「推測」は一般に、イベントおよび／またはデータによって取得された観察のセットから、システム、環境、および／またはユーザに関する推理を行ったり、あるいはそれらの状態を推論するプロセスを称する。推測は、具体的なコンテクストまたは動作を特定するために適用されるか、あるいは、例えば、状態にわたる確率分布を生成しうる。推論は確率論的、すなわち、ユーザの目的および意図の観点における、データ、イベント、または理論的な判定の考慮に基づく興味のある状態にわたる確率分布の計算であり、確率的な推論を構築し、最も高く期待される利用度の動作を表すことを考慮する。推論はまた、イベントおよび／またはデータのセットから、より高レベルなイベントを構築するために適用される技術をも称しうる。そのような推論により、イベントが時間的に近接して相関付けられていようとも、イベントおよびデータが１または幾つかのイベント・ソースおよびデータ・ソースから由来していようとも、観察されたイベントのセットおよび／または格納されたイベント・データから、新たなイベントまたは動作が構築される。
【００４１】
さらに、本明細書では加入者局に関連して様々な局面が記述される。加入者局はまた、システム、加入者ユニット、移動局、モバイル、遠隔局、アクセス・ポイント、遠隔端末、アクセス端末、ユーザ端末、ユーザ・エージェント、ユーザ・デバイス、モバイル・デバイス、ポータブル通信デバイス、あるいはユーザ機器とも称される。加入者局は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。
【００４２】
さらに、本明細書に記載の様々な局面または特徴は、標準的なプログラミング技術および／またはエンジニアリング技術を用いた方法、装置、または、製造物品として実現されうる。本明細書で使用される用語「製造物品」は、任意のコンピュータ読取可能デバイス、キャリア、または媒体からアクセス可能なコンピュータ・プログラムを含むことが意図される。例えば、コンピュータ読取可能媒体は、限定される訳ではないが、磁気記憶デバイス（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。くわえて、本明細書に記載の様々な記憶媒体は、情報を格納するための１または複数のデバイスおよび／またはその他の機械読取可能媒体を表しうる。用語「機械読取可能媒体」は、限定される訳ではないが、無線チャネルや、命令（群）および／またはデータを格納、包含、および／または搬送することが可能なその他様々な媒体を含みうる。
【００４３】
図１に示すように、無線通信システム１００が、本明細書に記載の様々な実施形態にしたがって例示される。システム１００は、無線通信信号を受信し、それを無線端末１０４へ送信し、それを繰り返すなどする基地局１０２を備えうる。さらに、システム１００は、基地局１０２に類似した複数の基地局、および／または、無線端末１０４に類似した複数の無線端末を含むことができると考慮される。基地局１０２は、送信機チェーンおよび受信機チェーンを備えうる。それらおのおのは、当業者によって理解されるように、信号送信および信号受信に関連する複数の構成要素（例えば、プロセッサ、変調器、マルチプレクサ、復調器、デマルチプレクサ、アンテナ等）を備えうる。基地局１０２は、固定局および／またはモバイルでありうる。無線端末１０４は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するためのその他任意のデバイスでありうる。また、無線端末１０４は、固定式または移動式でありうる。
【００４４】
無線端末１０４は、任意の所与の時間において、ダウンリンク・チャネルおよび／またはアップリンク・チャネルで基地局１０２（および／または異種の基地局）と通信することができる。ダウンリンク・チャネルは、基地局１０２から無線端末１０４への通信リンクを称し、アップリンク・チャネルは、無線端末１０４から基地局１０２への通信リンクを称する。基地局１０２はさらに、例えば、無線端末１０４の認証および許可、アカウント、課金等のような機能を実行する他の基地局および／または異種の任意のデバイス（例えば、サーバ）（図示せず）と通信することができる。
【００４５】
基地局１０２はさらに、電力コントローラ１０６および無線端末ベリファイヤ１０８を含むことができる。電力コントローラ１０６は、無線端末１０４（および／または異種の任意の無線端末）に関する電力レベルを測定することができる。電力コントローラ１０６はさらに、電力レベルを調節することを容易にするために、電力コマンドを無線端末１０４へ送ることができる。例えば、電力コントローラ１０６は、送信ユニットの第１のサブセットに関連する１または複数の送信ユニットに電力コマンドを送信することができる。電力コマンドは、例えば、電力レベルを増加すること、電力レベルを低下すること、電力レベルを維持すること等を示すことができる。電力を増加または低下する電力コマンドを受信すると、無線端末１０４は、関連する電力レベルを、固定された（例えば、予め設定された）量および／または可変量、変えることができる。この予め設定された量は、ある要因（例えば、周波数再使用要因、異なるモバイル局におけるチャネル条件）に基づく可変サイズでありうる。さらに、無線端末ベリファイヤ１０８は、送信ユニットの第２のサブセットに関連する１または複数の送信ユニットにおける無線端末（例えば、無線端末１０４）に関する端末識別子に応じて情報を送信することができる。さらに、セッションＯＮ状態である場合、１または複数のＯＮ識別子が、おのおのの無線端末へ割り当てられ、ＯＮ識別子が、送信ユニットの第１のサブセットおよび第２のサブセットに関連付けられうる。送信ユニットは、（例えば、時間領域、周波数領域、時間領域と周波数領域との両方からなるハイブリッドのような）可変フォーマットでありうる。
【００４６】
電力コントローラ１０６は、ダウンリンク電力制御チャネル（ＤＬＰＣＣＨ）によって電力コマンドを送信することができる。例にしたがうと、無線端末１０４がセッションＯＮ状態にアクセスすると、基地局１０２によって、リソースが無線端末１０４に割り当てられうる。そのようなリソースは、特定のＤＬＰＣＣＨセグメント、１または複数のＯＮ識別子等を含みうる。ＤＬＰＣＣＨは、無線端末１０４の送信電力を制御するダウンリンク電力制御メッセージを送信するために、（例えば、電力コントローラ１０６を適用する）基地局セクタ接続ポイントによって利用されうる。
【００４７】
無線端末ベリファイヤ１０８は、電力コントローラ１０６によって転送された電力コマンドとともに、この電力コマンドに対応する無線端末（例えば、無線端末１０４）に関連する情報を送信することができる。例えば、無線端末ベリファイヤ１０８は、無線端末（例えば、無線端末１０４）に関連する端末識別子（例えば、スクランブリング・マスク）に応じて情報を送信することができる。無線端末ベリファイヤ１０８は、そのような情報をＤＬＰＣＣＨによって転送することができる。例示によれば、無線端末１０４に関連する情報は、電力コントローラ１０６からの電力コマンド送信のサブセットとともにＤＬＰＣＣＨによって送信されうる。
【００４８】
無線端末１０４はさらに、無線端末１０４に関連して受信された情報を評価するベリフィケーション情報コンパレータ１１０を含む。ベリフィケーション情報コンパレータ１１０は、無線端末１０４が、基地局１０２によって述べられたようにリソースを利用しているかを判定するために、この受信した信号を分析することができる。したがって、ベリフィケーション情報コンパレータ１１０は、ＤＬＰＣＣＨによって送信されたシンボルのＱ成分に含まれる情報を評価することができる。例えば、基地局１０２は、識別子（例えば、セッションＯＮ  ＩＤ）を無線端末１０４に割り当てており、ベリフィケーション情報コンパレータ１１０は、無線端末１０４が、割り当てられた識別子に関連する適切なリソースを用いるかを分析することができる。他の例によれば、ベリフィケーション情報コンパレータ１１０は、無線端末１０４が、基地局１０２によって割り当てられたＤＬＰＣＣＨのセグメントを利用しているか、および／または、基地局１０２が、無線端末１０４に以前に割り当てられたリソース（例えば、セッションＯＮ  ＩＤ）を再利用したかを判定することができる。
【００４９】
それぞれの状態が与えられると、基地局１０２または無線端末１１０は、ユーザ機器（ＵＥ）となりうることが認識されるべきである。アップリンク通信の場合、逆方向リンク負荷を制御することが望ましい。従来、一般的に、時間帯域−周波数帯域のために単一制御が適用されている。しかしながら、それによって、比較的柔軟性のないフレームワークとなっている。通信帯域を幾つかのサブ帯域に分割することによって、従来のスキームに対して、柔軟性が高められるようになる。−これは、サブ帯域毎に異なる制御を可能とするのみならず、それぞれのサブ帯域にわたって異なる制御しきい値を持つことによって、制御粒度が高められる。制御が高められることにより、異なる目的、および、従来スキームに対して逆方向アップリンク・リソースのより効率的な利用のためにサブ帯域を用いることができる。市場の力は、この業界を、システム・パフォーマンスの最適化を試みるために、より簡単な通信プロトコルに向けて動かした。本明細書で権利主張され説明される局面は、複数のサブ帯域およびその制御を利用して処理オーバヘッドを増加することによって、従来の知識および市場の力に対抗する。しかしながら、そのような認識された処理負荷に耐えた結果、より粒度の高いサブ帯域の制御と、より高められたシステム・リソースの利用度とによって与えられる柔軟性の結果として、システム全体のパフォーマンスの最適化が容易とされる。例えば、単一制御の従来システムでは、与えられたセル内の全てのユーザが、電力を増加することができる。これは、近隣セルの干渉を招く。これを受けて、近隣セルのＵＥは恐らく、干渉に打ち勝つために、電力を増加することによって応じるだろう。これは、他のセルにおける干渉を引き起こす。従って、そのように電力上昇に向かう収斂は、生成された干渉を合成する。
【００５０】
さらに詳しくは、直交システムにおける干渉管理は、近隣セルによって引き起こされる干渉を特定および緩和することによって容易とされる。通信帯域幅は、多数のサブ帯域に分割され、負荷インジケータがサブ帯域毎に提供される。以前に述べたように、そのようにすることによって、セル間干渉を緩和し、制御粒度を向上し、システム・リソースの全体的な利用を容易にする。サブ帯域毎の負荷情報は、バイナリ負荷インジケータ・データとして提供され、サービス提供セルと、近隣セルへのブロードキャストとの両方のために提供される。ユーザ機器（ＵＥ）は、サブ帯域毎ベースで、サービス提供セルと、非サービス提供近隣セルの負荷インジケータ・データとの両方に対するアクセスを有する。これは、帯域幅のより完全な利用を可能にする粒度レベルを与え、より多くのＵＥが、所与の帯域幅内の負荷で動作することができる。
【００５１】
ＵＥベースの負荷管理は、同期または非同期のいずれかで動作する複数のセルにわたって取り扱われうる。これによって、個々のＵＥの機能が、セル間干渉の低減を最適化する際の要因となりうる。ＵＥが起動されると、ＵＥは一般に、サービス提供セル動作のタイプ（例えば、同期または非同期）を示すメッセージを、サービス提供セル・アクセス・ノードから受信する。この動作のタイプは、ＵＥに、セル間干渉を低減する１つあるいは別の方法に従わせる。現在の方法は、ＵＥが、サービス提供セルの動作モードに依存しないセル間干渉低減のための最良の方法を見つけることを可能にする。１つの限定しない例では、ＵＥは、非同期セル内で動作しうるが、近隣セルの負荷データに直接的にアクセスする機能を有する。この場合、ＵＥは、サービス提供セルのバックホール・チャネルを介して到来するサブ帯域毎の近隣セル・バイナリ負荷情報を待つのではなく、サブ帯域毎のより高速な直接的な近隣セル・バイナリ負荷情報に依存して、その送信電力スペクトル密度を低減または維持することができる。
【００５２】
直交セルラ・システムでは、セル端のサービス品質（ＱｏＳ）を保証するために、セル間干渉が緩和されねばならない。別のシステムは、別の技術形式を適用するが、本質的には、２つの学派がある。ネットワークに基づいたソリューションでは、おのおののセルが、その近隣セルの信号対雑音比（ＳＮＲ）測定値に基づいて、おのおののＵＥの送信電力スペクトル密度（Ｔｘ  ＰＳＤ）を制御する。−これは、汎用パケット・ラジオ・サービス（ＧＰＲＳ）に類似している。ＵＥに基づいたソリューションでは、おのおののＵＥが、近隣セルのＳＮＲに基づいて、自身のＴｘ  ＰＳＤを制御する。さらに、ＵＥに基づいたソリューションでは、２つの局面がある。近隣セルに基づいた局面では、おのおののＵＥが、高速アップリンク・パケット・アクセス（ＨＳＵＰＡ）、ＬＴＥ、およびＤＯｒＣと同様に、検出した近隣セルのサブセットによって送信されたアップリンク負荷インジケータをモニタする。サービス提供セルの局面では、サービス提供セルは、（例えば、フラッシュで使用される）地理的な近隣セルのアップリンク負荷をブロードキャストする。本明細書に記載された局面は、上記２つのソリューションを適切に組み合わせるＵＥベースのアップリンク負荷管理スキームを適用する。
【００５３】
ＵＥベースのアプローチでは、おのおののソリューションの利点および欠点がある。近隣セル・ベースの局面では、ＵＥは、近隣セル負荷を迅速に検出することができる。しかしながら、非同期システムでは、ＵＥは、検出されたおのおのの近隣セルのために、複数の高速フーリエ変換（ＦＦＴ）タイミングを維持する必要がある。これは欠点である。サービス提供セル・ベースの局面では、ＵＥは、どの近隣セルのタイミングも維持する必要はない。これは利点である。しかしながら、負荷情報は、バックホールを通じて伝搬する必要がある（欠点）。
【００５４】
（例えば、様々な機能を組み合わせた）ハイブリッド・アプローチによって、パフォーマンスが改善される。組み合わせるために、おのおののセルは、両パラメータをブロードキャストし、アップリンク・セル間干渉が受信機（Ｒｘ）において見られる。バイナリ値の負荷インジケータが、サブ帯域毎に適用される。これは、それぞれのセルが、特定のサブ帯域に負荷されるか否かを示す。サブ帯域は、全システム帯域幅（例えば、おのおの９００ＫＨｚの２０個のサブ帯域を持つ２０ＭＨｚシステムおよび１８ＭＨｚからなる拡大された帯域幅）と等しいかあるいはそれよりも小さい。送信は、プライマリ・ブロードキャスト・チャネル（ＢＣＨ）で行われる。近隣セルの負荷に関して、負荷は、地理的に近いセルからなされ、サブ帯域毎に示される。
【００５５】
ＵＥの挙動に関し、ＵＥは、検出された近隣セルの負荷に依存してＴｘ  ＰＳＤを低減する。検出は、以下の２つのアプローチのうちの何れかに基づく。（１）近隣セルから送信され、復号された負荷インジケータ、（２）サービス提供セルから送信され、復号された近隣セル負荷情報。同期システムでは、ＵＥは、近隣セルから送信された負荷インジケータに依存する。非同期システムでは、ＵＥは、サービス提供セルから送信された近隣セルの負荷情報に依存する。
【００５６】
代替局面では、ＵＥ機能（例えば、複数のＲｘタイミング、Ｔｘ  ＢＷ機能（１０ＭＨｚ対２０ＭＨｚ、およびピーク・データ・レート機能）を維持する能力）に依存する非同期システムにおける挙動を想定することができる。ＵＥは、システムが同期しているか否かを知っており、情報が、システム・パラメータの一部としてＢＣＨ（ブロードキャスト・チャネル）で送信される。
【００５７】
図２は、本発明の局面の例を与える。図示するように、与えられた帯域幅は、多くのサブ帯域２０１（例えば、サブ帯域１乃至Ｎ）を備える。おのおののサブ帯域は、バイナリ値の負荷インジケータ２０２を提供し、そのサブ帯域が使用中であるか２０４、あるいは、特定のセルにおける使用に利用可能であるか２０５を示す。サブ帯域１，２が使用中であり、サブ帯域３乃至Ｎが実際に利用可能である場合、サブ帯域部分が提供された帯域幅バイナリ値負荷インジケータ２０３と比較された場合、より細かい粒度が見られる。
【００５８】
他の局面では、サブ帯域が負荷されているかの判定は、予め定めたしきい値を超えて増加するサブ帯域の負荷要因に基づく。
【００５９】
前述した議論は、帯域幅を、与えられたセルのためのサブ帯域に分割することに注目していた。開示された局面は、この例に限定されず、例えば、セルをセクタに分割し、さらに、セクタ帯域をサブ帯域に分割するような他のアプリケーションを含んでいることが理解されるべきである。
【００６０】
図３に示すように、様々な局面にしたがって実現され、通信リンク３０５、３０７、３０８、３１１、３４１、３４１’、３４１”、３４１Ａ、３４５、３４５’、３４５”、３４５Ｓ、３４７、３４７’、３４７”、および３４７Ｓによって相互接続された複数のノードを備える（例えば、セルラ通信ネットワークのような）典型的な通信システム３００が例示されている。典型的な通信システム３００におけるノードは、通信プロトコル（例えば、インターネット・プロトコル（ＩＰ））に基づき、信号を使用して情報（例えば、メッセージ）を交換することができる。システム３００の通信リンクは、例えば、有線、光ファイバ・ケーブル、および／または、無線通信技術を用いて実現されうる。典型的な通信システム３００は、複数のアクセス・ノード３４０、３４０’、および３４０”によって通信システム３００にアクセスする複数のエンド・ノード３４４、３４６、３４４’、３４６’、３４４”、および３４６”を含んでいる。エンド・ノード３４４、３４６、３４４’、３４６’、３４４”、および３４６”は、例えば無線通信デバイスまたは端末であり、アクセス・ノード３４０、３４０’、および３４０”は、例えば無線アクセス・ルータまたは基地局でありうる。典型的な通信システム３００はさらに、相互接続を提供するため、あるいは、（例えば、サービス提供セルおよび非サービス提供セルのサブ帯域バイナリ値負荷インジケータ・データのためのバックホール経路のような）特定のサービスまたは機能を提供するために使用されるその他多くのノード３０４、３０６、３０９、３１０、および３１２を含む。具体的には、典型的な通信システム３００は、エンド・ノードに関する状態の転送および格納をサポートするために使用されるサーバ３０４を含む。サーバ・ノード３０４は、ＡＡＡサーバ、コンテクスト転送サーバ、および、ＡＡＡサーバとコンテクスト転送サーバの両方の機能を含むサーバでありうる。
【００６１】
典型的な通信システム３００は、対応するネットワーク・リンク３０５、３０７、３０８によってそれぞれ中間ネットワーク・ノード３１０に接続されたサーバ３０４、ノード３０６、およびホーム・エージェント・ノード３０９を含むネットワーク３０２を示す。ネットワーク３０２内の中間ネットワーク・ノード３１０はまた、ネットワーク・リンク３１１を経由して、ネットワーク３０２の外部にあるネットワーク・ノードへの相互接続を提供する。ネットワーク・リンク３１１は、他の中間ネットワーク・ノード３１２にも接続される。この中間ネットワーク・ノード３１２はさらに、ネットワーク・リンク３４１、３４１’、３４１”を経由して、複数のアクセス・ノード３４０、３４０’、３４０”への接続を提供する。
【００６２】
おのおののアクセス・ノード３４０、３４０’、３４０”は、対応するアクセス・リンク（３４５、３４７）、（３４５’、３４７’）、（３４５”、３４７”）を経由して、複数のＮ個のエンド・ノード（３４４、３４６）、（３４４’、３４６’）、（３４４”、３４６”）への接続を提供するものとして示されている。同期システムでは、例えば３４５Ｓおよび３４７Ｓのようなアクセス・リンクもまた利用可能でありうる。同期システムまたは非同期システムでは、エンド・ノードは、３４１Ａによって示されるように、自身のセル環境外のアクセス・ノードに対するアクセス・リンクを確立する機能を有しうる。典型的な通信システム３００では、おのおののアクセス・ノード３４０、３４０’、３４０”は、アクセスを提供するために無線技術（例えば、無線アクセス・リンク）を用いるものとして示されている。おのおののアクセス・ノード３４０、３４０’、３４０”のラジオ有効範囲領域（例えば、通信セル３４８、３４８’、３４８”）はそれぞれ、対応するアクセス・ノードを囲む円として例示される。
【００６３】
典型的な通信システム３００は、本明細書に述べられた様々な局面の説明のベースとして示される。さらに、様々な異種のネットワーク・トポロジが、特許請求された主題の範囲内にあることが意図され、ネットワーク・ノードの数およびタイプ、アクセス・ノードの数およびタイプ、エンド・ノードの数およびタイプ、サーバやその他のエージェントの数およびタイプ、および、ノード間の相互接続は、図３に示す典型的な通信システム３００のものとは異なりうる。さらに、典型的な通信システム１００に示す機能エンティティは、省略あるいは結合されうる。さらに、ネットワーク内の機能エンティティの位置または配置が変えられうる。
【００６４】
制御トラフィックは、しばしば、チャネルと独立したレートで送信される。セル端部のユーザは一般に、厳しいチャネル悪化を経験し、より電力が制限されるようになる。電力制限と同様に、誤り率も増加し、例えばＨ−ＡＲＱのような高度な誤り制御メカニズムは、データのみならずトラフィックを制御するために適用可能ではないかもしれない。ＩｏＴ動作レベルは、一般に、セル端部のユーザからのトラフィック・データによって制限される。これらの要因は、例えば約５ｄＢのような低いＩｏＴ動作点に寄与する。したがって、アップリンク負荷判定基準（例えば、ＩｏＴ動作レベル）は、一般に、セル端部のユーザからの制御トラフィックによって制限される。
【００６５】
しかしながら、良好なチャネル条件のユーザは、電力制限される可能性は低く、はるかに高いＩｏＴ点をサポートすることができる。したがって、セル端部からの柔軟性のない低いＩｏＴ動作レベルによって、データ・トラフィックのためのアップリンク負荷管理を不必要に非効率にする。
【００６６】
アップリンク負荷管理メカニズムが記載される。このメカニズムは、利用可能な帯域全体にわたって同じ動作レベルではなく、サブ帯域について別個のアップリンク負荷動作レベル要件を利用し、（例えば、経路３４１Ａを生成することができる）エンド・ノード機能のみならず様々なセル・タイプにサービス提供できる（例えば、同期または非同期）ほどロバストである。サブ帯域に依存するアップリンク負荷情報を導入し、それを適切に管理することによって、ユーザ毎のより大きなスループットと、セクタ・スループットとが達成されうる。
【００６７】
サブ帯域の構成は、時間とともに動的に変化することができ、システム条件に適応することができ、異なるセクタ（図示せず）について異なりうる。
【００６８】
図４は様々な局面に関連する典型的なエンド・ノード４００（例えば、モバイル・ノード、無線端末）を例示する。典型的なエンド・ノード４００は、図３に示すエンド・ノード（例えば、３４４、３４６、３４４’、３４６’、３４４”、３４６”）のうちの任意の１つとして利用することが可能な装置でありうる。図示するように、エンド・ノード４００は、ともにバス４０６によって接続されたプロセッサ４０４、無線通信インタフェース４３０、ユーザ入力／出力インタフェース４４０、およびメモリ４１０を含む。したがって、エンド・ノード４００の様々な構成要素は、バス４０６を経由して情報、信号、およびデータを交換しうる。エンド・ノード４００の構成要素４０４、４０６、４１０、４３０、４４０は、ハウジング４０２内に位置しうる。
【００６９】
無線通信インタフェース４３０は、エンド・ノード４００の内部構成要素が外部デバイスおよびネットワーク・ノード（例えば、アクセス・ノード）と信号を授受するメカニズムを提供する。無線通信インタフェース４３０は、例えば、対応する受信アンテナ４３６を備えた受信機モジュール４３２と、（例えば、無線通信チャネルを介して）エンド・ノード４００を他のネットワーク・ノードに接続するために使用される対応する送信アンテナ４３８を備えた送信機モジュール４３４とを含む。
【００７０】
典型的なエンド・ノード４００はまた、ユーザ入力デバイス４４２（例えば、キーパッド）およびユーザ出力デバイス４４４（例えば、ディスプレイ）を含む。これらは、ユーザ入力／出力インタフェース４４０を経由してバス４０６に接続される。したがって、ユーザ入力デバイス４４２およびユーザ出力デバイス４４４は、ユーザ入力／出力インタフェース４４０およびバス４０６を介して、エンド・ノード４００の他の構成要素と情報、信号、およびデータを交換しうる。ユーザ入力／出力インタフェース４４０および関連するデバイス（例えば、ユーザ入力デバイス４４２、ユーザ出力デバイス４４４）は、ユーザが、様々なタスクを達成するためにエンド・ノード４００を操作することができるメカニズムを提供する。特に、ユーザ入力デバイス４４２およびユーザ出力デバイス４４４は、ユーザが、エンド・ノード４００のメモリ４００内で実行するアプリケーション（例えば、モジュール、プログラム、ルーチン、関数等）およびエンド・ノード４００を制御することを可能にする機能を提供する。
【００７１】
プロセッサ４０４は、メモリ４１０に含まれる様々なモジュール（例えば、ルーチン）によって制御され、本明細書に記載したような様々なシグナリングおよび処理を実行するためにエンド・ノード４００の動作を制御することができる。メモリ４１０に含まれるモジュールは、起動時に、あるいは、他のモジュールによって呼び出されると実行される。モジュールは、実行されると、データ、情報、および信号を交換することができる。モジュールはまた、実行されると、データおよび情報を共有することができる。エンド・ノード４００のメモリ４１０は、シグナリング／制御モジュール４１２、およびシグナリング／制御データ４１４を含みうる。
【００７２】
シグナリング／制御モジュール４１２は、状態情報の格納、検索、および処理の管理のための信号（例えば、メッセージ）を受信および送信することに関連する処理を制御する。シグナリング／制御データ４１４は、例えば、パラメータ、状態、および／または、エンド・ノードの動作に関するその他の情報のような状態情報を含む。特に、シグナリング／制御データ４１４は、設定情報４１６（例えば、エンド・ノード識別情報）と、動作情報４１８（例えば、現在の処理状態、ペンディング応答の状況等）を含みうる。シグナリング／制御モジュール４１２は、シグナリング／制御データ４１４（例えば、アップデートな設定情報４１６および／または動作情報４１８）にアクセスしたり、および／または、シグナリング／制御データ４１４を修正する。
【００７３】
エンド・ノード４００のメモリ４１０はまた、コンパレータ・モジュール４４６、電力調節モジュール４４８、および／または、誤りハンドラ・モジュール４５０を含みうる。図示しないが、コンパレータ・モジュール４４６、電力調節モジュール４４８、および／または、誤りハンドラ・モジュール４５０は、メモリ４１０内に格納されうるものと関連するデータを格納および／または検索しうることが理解されるべきである。コンパレータ・モジュール４４６は、エンド・ノード４００に関連付けられた受信情報を評価し、予期された情報との比較を有効にしうる。
【００７４】
図５は、本明細書に記載の様々な局面にしたがって実現される典型的なアクセス・ノード５００を例示する。典型的なアクセス・ノード５００は、図３に示すアクセス・ノード（例えば、３４０、３４０’、および３４０”）のうちの任意の１つとして利用される装置でありうる。アクセス・ノード５００は、ともにバス５０６によって接続されたプロセッサ５０４、メモリ５１０、ネットワーク／相互ネットワーク・インタフェース５２０、および無線通信インタフェース５３０を含みうる。したがって、アクセス・ノード５００の様々な構成要素は、バス５０６を介して情報、信号、およびデータを交換しうる。アクセス・ノード５００の構成要素５０４、５０６、５１０、５２０、５３０は、ハウジング５０２内に配置されうる。
【００７５】
ネットワーク／相互ネットワーク・インタフェース５２０は、アクセス・ノード５００の内部構成要素が、外部デバイスおよびネットワーク・ノードとの間で信号を送受信するメカニズムを提供する。ネットワーク／相互ネットワーク・インタフェース５２０は、アクセス・ノード５００を（例えば、銅線ケーブルまたは光ファイバ線によって）他のネットワーク・ノードに接続するために使用される受信機モジュール５２２および送信機モジュール５２４を含む。無線通信インタフェース５３０はまた、アクセス・ノード５００の内部構成要素が、外部デバイスおよびネットワーク・ノード（例えば、エンド・ノード）と信号を送受信するメカニズムを提供する。無線通信インタフェース５３０は、例えば、対応する受信アンテナ５３６を備えた受信機モジュール５３２と、対応する送信アンテナ５３８を備えた送信機モジュール５３４とを含む。無線通信インタフェース５３０は、アクセス・ノード５００を（例えば、無線通信チャネルを介して）他のネットワーク・ノードに接続するために使用されうる。
【００７６】
プロセッサ５０４は、メモリ５１０に含まれる様々なモジュール（例えば、ルーチン）の制御下にあり、様々なシグナリングおよび処理を実行するために、アクセス・ノード５００の動作を制御することができる。メモリ５１０に含まれるモジュールは、起動時に、あるいは、メモリ５１０内に存在しうる他のモジュールによって呼び出されると実行される。実行されると、モジュールは、データ、情報、および信号を交換することができる。実行されると、モジュールはまた、データおよび情報を共有することができる。例によれば、アクセス・ノード５００のメモリ５１０は、状態管理モジュール５１２およびシグナリング／制御モジュール５１４を含む。これらモジュールのおのおのに対応して、メモリ５１０はまた、状態管理データ５１３およびシグナリング／制御データ５１５を含む。
【００７７】
状態管理モジュール５１２は、エンド・ノードから、または、状態の格納および検索に関する他のネットワーク・ノードから受信した信号の処理を制御する。状態管理データ５１３は、例えば、状態または状態の一部のようなエンド・ノード関連情報であるか、あるいは、その他幾つかのネットワーク・ノードに格納されているのであれば現在のエンド・ノード状態の場所を含む。状態管理モジュール５１２は、状態管理データ５１３にアクセスしたり、あるいは、状態管理データ５１３を修正することができる。
【００７８】
シグナリング／制御モジュール５１４は、無線通信インタフェース５３０を介してエンド・ノードから／への信号の処理を制御し、例えば、基本的な無線機能、ネットワーク管理等のようなその他の動作のために必要な場合、ネットワーク／相互ネットワーク・インタフェース５２０を介して他のネットワーク・ノードから／への信号の処理を制御する。シグナリング／制御データ５１５は、例えば、基本的な動作のための無線チャネル割り当てに関するエンド・ノード関連データと、例えば、サポート／管理サーバのアドレス、基本的なネットワーク通信のための設定情報のようなその他のネットワーク関連データとを含む。シグナリング／制御モジュール５１４は、シグナリング／制御データ５１５にアクセスしたり、シグナリング／制御データ５１５を修正することができる。
【００７９】
メモリ５１０はさらに、ユニーク識別（ＩＤ）割当モジュール５４０、ＯＮ識別（ＩＤ）割当モジュール５４２、電力コントローラ・モジュール５４４、および／または、無線端末（ＷＴ）ベリファイ・モジュール５４６を含む。ユニークＩＤ割当モジュール５４０、ＯＮ  ＩＤ割当モジュール５４２、電力コントローラ・モジュール５４４、および／またはＷＴベリファイ・モジュール５４６は、メモリ５１０内に関連データを格納し、および／または、メモリ５１０に保持された関連データを検索できることが認識されるべきである。さらに、ユニークＩＤ割当モジュール５４０は、端末識別子（例えば、スクランブリング・マスク）を無線端末へ割り当てる。ＯＮ  ＩＤ割当モジュール５４２は、無線端末がセッションＯＮ状態にある間、ＯＮ識別子を無線端末に割り当てることができる。電力コントローラ・モジュール５４４は、無線端末へ電力制御情報を送信することができる。ＷＴベリファイ・モジュール５４６は、無線端末関連情報を送信ユニット内に含めることを可能にする。
【００８０】
図６は、マルチ・セル・ネットワーク６００内のセル近傍の典型的な局面の例示を提供する。そのサービス領域６５２によって表されるセルは、近隣セル６５０、６５１、６５３、６５４、６５５、および６５６を有する。これら近隣セルは、セル６５２に隣接している。これらサービス領域は、図３（例えば、３４８、３４８’、および３４８”）と類似している。同様に、セルは、アクセス・ノード６４２、およびその近隣セル６４０、６４１、６４３、６４４、６４５、および６４６によって表されうる。これらは、図３（例えば、３４０、３４０’、３４０”）と類似している。サービス領域６５０内のデバイスまたはユーザ機器（ＵＥ）６６０の場合、ＵＥは、セル６５０がＵＥのためのリソースの主要な提供者であれば、セル６５０によってサービス提供される。現在の発明の局面によれば、おのおののセルは、サブ帯域１乃至Ｎのために、サブ帯域バイナリ値負荷インジケータ・データ（そのセルにおいて使用中の周波数サブ帯域のためのバイナリ・データ・ビット１乃至Ｎ）を（例えば、ＢＣＨチャネルで）ブロードキャストする。それ自身の負荷インジケータ・データに加えて、セルは、その近隣セル・アクティビティのために、バックホール・チャネルによっても、サブ帯域ベースでバイナリ値負荷インジケータ・データを送信するだろう。最低でも、アクセス・ノード６４２は、エンド・ノード６６０、６７０、６７１、６６１を含む全ての近隣セルがどのサブ帯域を使用しているかのみならず、エンド・ノード６６２、６７２のための負荷データを提供する。
【００８１】
これは典型的なモデルである一方、本発明は、このモデルに限定されず、特許請求の範囲で取り込まれるような全ての置き換えをカバーすることに着目されたい。周波数再使用シナリオのように、セルがセクタ化される場合、サブ帯域毎の隣接セクタ負荷判定基準が、送信されるだろう（図示せず）。
【００８２】
図７に示すように、セル間干渉緩和の典型的な局面７００が示される。セル７５０では、エンド・ノード７７０、７６０は、サブ帯域負荷インジケータ７１０によって表されるようなサブ帯域１、２を使用する。セル７５１でも使用される同じ周波数帯域について、サブ帯域負荷インジケータ７２０は、エンド・ノード７７１がどのサブ帯域を使用しているかを例示している。例示するように、エンド・ノード７６１は、異なる周波数帯域を全て使用している。これによって、７７１、７６０、および７７０のＰＳＤは、それぞれのレベルを維持することができる。なぜなら、粒度が増加することによって、異なるセル内で使用される所与の周波数における周波数サブ帯域のより効率的かつより深い使用が可能となるからである。サブ帯域負荷インジケータは、たとえエンド・ノードが全て同じ周波数帯域にあっても、干渉がなく、リソースのより完全な利用が可能となることを示す。
【００８３】
本明細書に記載された典型的な局面を考慮して、開示された主題にしたがって実現されうる方法論が説明される。簡略化の目的で、これら方法論が一連のブロックとして示され記述される一方、幾つかのブロックは、本明細書で示され説明されたものとは異なる順序で、および／または、他のブロックと同時に生じうるので、特許請求された主題は、これらブロックの数または順序によって制限されないことが理解され認識されるべきである。さらに、それぞれの方法論を実現するために、例示された全てのブロックが必要とされる訳ではない。様々なブロックに関連する機能は、ソフトウェア、ハードウェア、これらの組み合わせ、あるいはその他任意の適切な手段（例えば、デバイス、システム、プロセス、構成要素）によって実現されうることが認識されるべきである。さらに、以下および本明細書全体を通じて開示されている幾つかの方法論は、そのような方法論を様々なデバイスへ伝送することおよび転送することを容易にする製造物品に格納されうることがさらに認識されるべきである。当業者であれば、方法論は、例えば状態図のような一連の相互関連する状態またはイベントとして表されうることを認識および理解するだろう。
【００８４】
図８は、様々な局面にしたがう高レベルな方法論を例示する。８０４において、セル帯域幅は、Ｎ個のサブ帯域（Ｎは整数＞２）に分割される。８０６において、それぞれのサブ帯域は、それぞれのユーザ機器（ＵＥ）に割り当てられる。サブ帯域割当を行うことに関して、様々な割当プロトコルが適用されうることが認識されるべきである。例えば、それぞれのサブ帯域は、特定目的（例えば、データ・タイプ、電力レベル、距離、干渉緩和、負荷平準化等）のために指定され、ＵＥは、それぞれその類似性に応じてサブ帯域に割り当てられうる。他の例では、割り当てに関連して最適化スキームが適用されうる。同様に、（例えば、環境的な要因、属性、ＱｏＳ、カスタマ属性、カスタマ・ランキング、履歴情報のような）付帯情報が適用されうる。別の例では、割り当ては、セルまたは複数のセルにわたった負荷平準の機能でありうる。
【００８５】
この方法論の実施形態は、本明細書に記載の様々な局面（例えば、通信リソースの変更、リソース、付帯情報、ユーザ／ＵＥ状態、設定、サブ帯域割り当て、電力レベル設定）の自動的な実行を容易にするために人工知能を適用することができる。さらに、所与の時間および状態において実行される推論を意図した動作を容易にするために、推論ベースのスキームが適用されうる。本発明のＡＩベースの局面は、適切な任意の機械学習ベース技術、および／または、統計ベース技術、および／または、確率ベース技術によって有効とされうる。例えば、エキスパート・システム、ファジー論理、サポート・ベクトル機械（ＳＶＭ）、Ｈｉｄｄｅｎ  Ｍａｒｋｏｖモデル（ＨＭＭ）、グリーディ探索アルゴリズム、ルール・ベース・システム、Ｂａｙｅｓｉａｎモデル（例えば、Ｂａｙｅｓｉａｎネットワーク）、ニューラル・ネットワーク、その他の非線形学習技術、データ融合、ユーティリティ・ベース分析システム、Ｂａｙｅｓｉａｎモデルを適用したシステム等が考慮される。
【００８６】
８０８において、サブ帯域割り当てが追跡される。８１０において、サブ帯域割り当てが、（例えば、近隣セルにおける基地局またはＵＥにサブ帯域割当を知らせるために、）近隣セルにブロードキャストされる。８１２では、近隣セルのサブ帯域割当がモニタされる。８１４では、そのようなモニタに応じて、サブ帯域割当に関してコンフリクトがあると判定された場合、８１６において、例えば、コンフリクトによるセル間干渉を緩和することに関連して電力を低減するために、特定のＵＥに制御情報が送られる。コンフリクトが存在しない場合、８１８において、ＵＥは電力レベルを維持する。
【００８７】
前記説明から、帯域幅をそれぞれのサブ帯域に細分割することによって、従来式のスキームと比べて、ＵＥ電力レベルのより細かな調節が達成されうることが容易に理解されうる。その結果、セル間干渉緩和のみならず、システム全体のリソース利用もまた促進される。
【００８８】
図９は、様々な局面にしたがう高レベルな方法論を例示する。９０４において、サブ帯域割当が、ユーザ機器によって受信される。９０６において、ＵＥのそれぞれの能力／機能に関する判定または識別がなされる。ＵＥが、ある能力／機能を有していないと認められた場合、９０８において、ＵＥは単に、サブ帯域割当に関連する基地局からのコマンドをリスンする。しかしながら、ＵＥが、本明細書に記載の局面に関連するある能力または機能を有している場合、９１０において、ＵＥは、コンフリクトしているサブ帯域負荷インジケータ・データを求めて近隣セルを調べる。９１２において、それぞれのサブ帯域負荷インジケータ・データに応じて、コンフリクトが存在するか否かに関する判定がなされる。コンフリクトが存在する場合、９１６において、ＵＥは、ＵＥが引き起こしうる干渉を緩和するために電力レベルを下げる。コンフリクトが存在しないと判定された場合、９１４において、ＵＥは電力レベルを維持する。
【００８９】
図１０は、様々な局面にしたがう管理方法のための典型的なロジックを強調している。この管理方法１０００は、同期直交システムおよび非同期直交システムの両方をロバストに取り扱うＵＥベースのセル間干渉緩和システム向けである。１００４では、所与のサービス提供セルにおけるおのおののＵＥについて、ＵＥは、サービス提供セルが同期モードで動作しているか、あるいは非同期モードで動作しているかを示すサービス提供セル・タイプ・メッセージを受信する。１００６では、ＵＥは、サービス提供セルが同期しているか非同期であるかを判定するか、あるいは通知される。セルが同期している場合、処理は１０１８に進み、ＵＥは、バイナリのサブ帯域負荷データを求めて、サービス提供セルまたは近隣セルを調べる。１００６では、セルが非同期である場合、処理は１０１２に進み、ＵＥの機能が評価される。ＵＥが、高度な機能を有しているものと認められた場合、処理は１０１８に移る。ＵＥが基本機能を有しているものと認められた場合、処理は１０１６に進み、ＵＥは、バックホールされたバイナリ・サブ帯域データを求めてサービス提供セルを調べる。ブロック１０１８は、様々な利点（例えば、より高速な近隣セル検出、近隣セルから直接取得される近隣セル負荷データ）を示す。それほど高度ではないＵＥの場合、経路１０１６が、ＵＥのサービス提供セルから送信され、バックホール・チャネルを介して取得された新たなバイナリ・サブ帯域負荷データを提供する。何れの経路でも、サブ帯域毎のバイナリ負荷データが取得され、その後、１０１２における比較がなされる。
【００９０】
この時点では、図７に示すようなより細かな粒度が、与えられた帯域幅のうちの異なるサブ帯域においてより多くのＵＥが動作するための余裕が増加し、ステップ１０２２またはステップ１０２４を採用せよとの制御命令をＵＥに与える。
【００９１】
図１１と、さほどロバストではない従来の代替例１１００及び１２００を示す図１２とが対比される。図１１では、ＵＥは、起動されると（１０１２）、サービス提供セル・タイプ・メッセージを受信し（１０１４）、サービス提供セル・タイプが、ＵＥの次のステップ１１１８を命じる。ここでは、近隣セルのデータの帯域幅全体が近隣セルから直接的および迅速に取得され、サービス提供セルからの負荷データと比較される（１１２０）。ＵＥに対するさほど効率的ではない命令（例えば、一致する帯域内の干渉しない別のサブ帯域を用いたＵＥが、実際にはない干渉を引き起こすものと示される）が指示され、１１１２または１１２４の何れかが採用されよう。
【００９２】
図１２では、ＵＥは、起動されると（１２０２）、サービス提供セル・タイプ・メッセージを受信する（１２０４）。これは、ステップ１２１６を命じる。ここで、サービス提供セルによって提供されたようなより遅いバックホール・チャネルからの帯域幅の全体が取得され、サービス提供セル内のＵＥ帯域幅と比較される（１２２０）。ＵＥに対するさほど効率的ではない命令（例えば、一致する帯域内の干渉しない別のサブ帯域を用いたＵＥが、実際にはない干渉を引き起こすものと示される）が指示され、１２２２または１２２４の何れかが採用されよう。ＵＥ機能は無視される。図１１および図１２に示されるようなシステムもまた、サービス提供セル・システムが経路を指示するので、効率的ではないＵＥベースである。
【００９３】
図１３は、セル間干渉の緩和を容易にするシステム１３００を例示する。構成要素１３０２は、セル帯域幅をＮ個のサブ帯域（Ｎは整数＞２）に分割する。構成要素１３０４は、それぞれのサブ帯域を、それぞれのユーザ機器（ＵＥ）に割り当てる。サブ帯域割当を行うことに関して、様々な割当プロトコルが適用されうることが認識されるべきである。例えば、それぞれのサブ帯域は、特定の目的（例えば、データ・タイプ、電力レベル、距離、干渉緩和、負荷平準等）のために指定され、ＵＥは、その類似性に応じて、サブ帯域にそれぞれ割り当てられうる。別の例では、割当に関して（例えば、人工知能を適用した）最適化スキームが適用されうる。同様に、（例えば、環境要因、属性、ＱｏＳ、カスタマ属性、カスタマ・ランキング、履歴情報のような）付帯情報が適用されうる。他の例では、割り当ては、セルまたは複数のセルにわたった負荷平準の機能でありうる。
【００９４】
構成要素１３０６は、サブ帯域割当を追跡し、構成要素１３０８は、（例えば、近隣セルの基地局またはＵＥに、サブ帯域割当を知らせるために、）サブ帯域割当を近隣セルへブロードキャストする。構成要素１３１０は、近隣セルのサブ帯域割当をモニタする。構成要素１３１２は、そのようなモニタによって、コンフリクトが存在するかを判定し、サブ帯域割当に関してコンフリクトが存在すると判定されると、構成要素１３１４は、例えばこのコンフリクトによるセル間干渉を緩和することに関し、電力を低減するように特定のＵＥへ制御情報を送る。コンフリクトが存在しない場合、構成要素１３１６は、電力レベルを維持するようにＵＥに制御情報を送る。１３１８は、データストアとして役立つ。
図１４は、様々な局面にしたがう高レベルな方法論を例示する。１４０４では、セル帯域幅が複数のサブ帯域に分割される。１４０６では、サブ帯域レベル毎に観察された負荷に対応する負荷判定基準が隣接セルに提供される。１４０８では、サブ帯域判定基準が、サービス提供されたＵＥへブロードキャストされる。１４１０では、サービス提供セルが、隣接セルから、サブ帯域負荷判定基準を受信する。この情報を用いて、１４１２では、サービス提供セルが、サービス提供されたＵＥのためのサブ帯域割当が隣接セルに負荷されているかを判定する。１４１４では、割り当てられたサブ帯域について負荷された隣接セルが存在すると判定されると、コンフリクトしたＵＥに関して、電力スペクトル密度を低減するために、特定のＵＥに対して制御情報が送られる。コンフリクトが存在しない場合、１４１６において、ＵＥは、電力スペクトル密度レベルを維持する。
【００９５】
図１５は、様々な局面にしたがう高レベルな方法論を例示する。１５０４では、サブ帯域毎の隣接セル負荷判定基準が、ユーザ機器によって受信される。１５０６では、負荷判定基準情報のソースに関する判定がなされる。負荷判定基準情報が、サービス提供セルから受信された場合（１５０８）、ＵＥは、割り当てられた送信電力スペクトル密度を維持する（１５１４）。負荷判定基準のソースが直接的に隣接セルである場合（１５１０）、負荷判定基準は１５１２において評価され、割り当てられたサブ帯域が負荷されているか否かに関する判定がなされる。割り当てられたサブ帯域が負荷されているかに関する判定は、予め定めたしきい値を超えて上昇するサブ帯域のための負荷要因に基づきうる。割り当てられたサブ帯域が負荷されていない場合、１５１４において、送信電力スペクトル密度が維持される。負荷判定基準が、割り当てられ負荷されたサブ帯域が隣接セルであることを示すのであれば、ＵＥは、その割り当てられた送信電力スペクトル密度を低減する（１５１６）。
【００９６】
図１６は、セル間干渉を緩和することを容易にするシステム１６００を例示する。構成要素１６０２は、セル帯域幅を複数のサブ帯域に分割する。構成要素１６０４は、サブ帯域毎に観察された負荷に対応する負荷判定基準を与える。構成要素１６０６は、サブ帯域負荷判定基準を近隣セルにブロードキャストし、構成要素１６０８は、サブ帯域負荷判定基準を、サービス提供されたＵＥへブロードキャストする。構成要素１６１０は、隣接セルから、サブ帯域負荷判定基準を受信する。構成要素１６１２は、サービス提供されたＵＥのサブ帯域割当が、隣接セルに負荷されているかを判定する。１６１４は、サービス提供されたＵＥのサブ帯域割当が、隣接セルに負荷された場合に、そのＵＥの電力スペクトル密度を低減するための構成要素であり、１６１６は、ＵＥ電力スペクトル密度を維持するための構成要素であり、サービス提供されたＵＥのサブ帯域割当が、隣接セルに負荷されていない場合に使用される。１６１８は、データ・ストアとして役立つ。
【００９７】
図１７は、ＵＥベースの通信システム１７００を例示する。１７０２は、隣接セルからサブ帯域負荷判定基準情報を受信する構成要素である。１７０４は、（例えば、隣接セルから直接的に、バックホール・チャネルを介してサービス提供セルから、）隣接サブ帯域負荷判定基準のソースを判定するための構成要素である。１７０６は、サブ帯域負荷判定基準の負荷された状態または負荷されていない状態を判定するための構成要素である。構成要素１７０８は、割り当てられたサブ帯域が隣接セル内に負荷されていると判定されたＵＥに割り当てられた送信電力スペクトル密度を低減するための構成要素である。構成要素１７１０は、割り当てられた送信スペクトル密度を維持する。１７１２は、データ・ストアとして役立つ。
【００９８】
帯域幅をそれぞれのサブ帯域に細分割することによって、従来のスキームと比べて、ＵＥ電力レベルのより細かな調整が達成されうることが、前述した説明から容易に認識されうる。その結果、セル間干渉緩和のみならず、システム・リソースの全体的な利用が容易とされる。
【００９９】
ソフトウェアによる実現の場合、本明細書に記載の技術は、本明細書に記載の機能を実行するモジュール（例えば、手順、関数等）を用いて実現されうる。ソフトウェア・コードは、メモリ・ユニット内に格納され、プロセッサによって実行されうる。このメモリ・ユニットは、プロセッサの内部またはプロセッサの外部に実装される。プロセッサの外部に実装される場合、当該技術において周知である様々な方法によってプロセッサに通信可能に接続されうる。
【０１００】
上述したものは、１または複数の実施形態の例を含んでいる。もちろん、前述した実施形態を説明する目的のための構成要素または方法論の考えられる全ての組み合わせを記述することは不可能であるが、当業者であれば、様々な実施形態のさらなる組み合わせおよび置き換えが可能であることを認識することができる。したがって、記載された実施形態は、添付された特許請求の範囲の精神およびスコープ内にあるそのような全ての変更、修正、および変形を含むことが意図されている。さらに、用語「含む」（"includes"）が、詳細な説明または特許請求の範囲の何れかで使用されている限り、そのような用語は、用語「備える」（"comprising"）が請求項において遷移語として適用されている場合に解釈されるように、用語「備える」と同様に包括的であることが意図される。
【手続補正２】
【補正対象書類名】図面
【補正対象項目名】図２
【補正方法】変更
【補正の内容】
【図２】
2010509866.tif 000020
【手続補正３】
【補正対象書類名】図面
【補正対象項目名】図５
【補正方法】変更
【補正の内容】
【図５】
2010509866.tif 000021
【手続補正４】
【補正対象書類名】図面
【補正対象項目名】図８
【補正方法】変更
【補正の内容】
【図８】
2010509866.tif 000022
【手続補正５】
【補正対象書類名】図面
【補正対象項目名】図９
【補正方法】変更
【補正の内容】
【図９】
2010509866.tif 000023
【手続補正６】
【補正対象書類名】図面
【補正対象項目名】図１４
【補正方法】変更
【補正の内容】
【図１４】
2010509866.tif 000024
【手続補正７】
【補正対象書類名】図面
【補正対象項目名】図１５
【補正方法】変更
【補正の内容】
【図１５】
2010509866.tif 000025
【国際調査報告】
2010509866.tif 000026
2010509866.tif 000027
2010509866.tif 000028
2010509866.tif 000029
2010509866.tif 000030